(57)【特許請求の範囲】
【請求項１】
無線通信システムにおいて端末がデータを送受信する方法であって、
基地局からのダウンリンク制御情報（downlink control information）を受信することと、
前記ダウンリンク制御情報に基づいて設定されたダウンリンク共有チャネル（downlink shared channel）を介して、前記基地局からダウンリンクデータ（downlink data）を受信することと、を有し、
前記ダウンリンクデータがブロードキャスト（broadcast）される場合、前記ダウンリンク共有チャネルのバンドルサイズ（bundling size）は、予め定義された値（pre-defined value）に設定され、
前記ダウンリンクデータがブロードキャストされない場合、前記ダウンリンク共有チャネルのバンドルサイズは、特定の数の物理リソースブロック又は前記端末に割り当てられた周波数リソース領域のサイズに設定され、
前記特定の数の物理リソースブロックを示す値は、前記ダウンリンク共有チャネルのために、予め設定されたバンドルサイズの集合（bundling size set）に有される、データの送受信方法。
【請求項２】
前記予め定義された値は、２つの物理リソースブロック（Physical Resource Block、ＰＲＢ）である、請求項１に記載のデータの送受信方法。
【請求項３】
前記周波数リソース領域のサイズが前記端末に対して予め設定された値より大きい場合、前記ダウンリンク共有チャネルのバンドルサイズは、前記周波数リソース領域のサイズに設定される、請求項１に記載のデータの送受信方法。
【請求項４】
前記予め設定された値は、前記基地局による上位層シグナリング（higher layer signaling）を介して設定される、請求項３に記載のデータの送受信方法。
【請求項５】
前記周波数リソース領域は、周波数軸において連続する物理リソースブロック（contiguous Physical Resource Block）に設定される、請求項３に記載のデータの送受信方法。
【請求項６】
前記予め設定されたバンドルサイズの集合は、前記周波数リソース領域のサイズに基づいて設定される、請求項１に記載のデータの送受信方法。
【請求項７】
前記ダウンリンクデータがブロードキャストされる場合、前記ダウンリンクデータは、前記端末のためのシステム情報ブロック（system information block）を有する、請求項２に記載のデータの送受信方法。
【請求項８】
無線通信システムにおいてデータを送受信する端末であって、
無線信号を送受信するための無線周波（Radio Frequency、ＲＦ）モジュール（module）と、
前記ＲＦモジュールと機能的に接続されているプロセッサと、を有し、
前記プロセッサは、
基地局からのダウンリンク制御情報（downlink control information）を受信し、
前記ダウンリンク制御情報に基づいて設定されたダウンリンク共有チャネル（downlink shared channel）を介して、前記基地局からダウンリンクデータ（downlink data）を受信する、ように構成され、
前記ダウンリンクデータがブロードキャスト（broadcast）される場合、前記ダウンリンク共有チャネルのバンドルサイズ（bundling size）は、予め定義された値（pre-defined value）に設定され、
前記ダウンリンクデータがブロードキャストされない場合、前記ダウンリンク共有チャネルのバンドルサイズは、特定の数の物理リソースブロック又は前記端末に割り当てられた周波数リソース領域のサイズに設定され、
前記特定の数の物理リソースブロックを示す値は、前記ダウンリンク共有チャネルのために、予め設定されたバンドルサイズの集合（bundling size set）に有される、端末。
【請求項９】
前記予め定義された値は、２つの物理リソースブロック（Physical Resource Block、ＰＲＢ）である、請求項８に記載の端末。
【請求項１０】
前記周波数リソース領域のサイズが前記端末に対して予め設定された値より大きい場合、前記ダウンリンク共有チャネルのバンドルサイズは、前記周波数リソース領域のサイズに設定される、請求項８に記載の端末。
【請求項１１】
前記周波数リソース領域は、周波数軸において連続する物理リソースブロック（contiguous Physical Resource Block）に設定される、請求項１０に記載の端末。
【発明の詳細な説明】
【技術分野】
【０００１】
本発明は、無線通信システムに関し、さらに詳細には、データを送受信するための方法及びこれをサポート（支援）する（supporting）装置に関する。
【背景技術】
【０００２】
移動通信システムは、ユーザの移動性（活動性）（mobility）を保証しながら音声サービスを提供するために開発された。しかしながら、移動通信システムは、音声だけでなく、データサービスまで領域を拡張し、現在では、爆発的なトラフィックの増加によってリソース（資源）（resource）が不足する現象が引き起こされ、ユーザがより高速のサービスを要求するので、より発展した移動通信システムが要求されている。
【０００３】
次世代の移動通信システムの要求条件は、総じて（大きく）（generally）、爆発的なデータトラフィックのサポート（収容）（supporting）、ユーザ当たりの転送レート（率）（transfer rate）の画期的な増加、大幅に増加した接続（連結）デバイス（connection devices）の個数のサポート、非常に低いエンドツーエンド（端対端）レイテンシ（遅延）（End-to-End Latency）、高エネルギ効率をサポートできなければならない。そのために、二重接続（連結性）（Dual Connectivity）、大規模多入力多出力（多重入出力）（Massive MIMO：Massive Multiple Input Multiple Output）、全二重（In-band Full Duplex）、非直交多元（多重）接続（ＮＯＭＡ：Non-Orthogonal Multiple Access）、超広帯域（Super wideband）サポート、端末ネットワーキング（Device Networking）など、多様な技術が研究されている。
【発明の概要】
【発明が解決しようとする課題】
【０００４】
本明細書は、無線通信システムにおいてデータを送受信する方法及びそのための装置を提案する。
【０００５】
これに関連して、本明細書では、ダウンリンク共有チャネル（ＰＤＳＣＨ）のバンドリング（bundling）を設定する方法及びそのための装置を提案する。
【０００６】
具体的には、本明細書では、ダウンリンク共有チャネルのバンドルサイズの集合（bundling size set）、バンドルサイズ（bundling size）及び／若しくはバンドリングタイプ（bundling type）を設定及び指示する方法、並びにそのための装置を提案する。
【０００７】
本発明で解決しようとする技術的課題は、以上で言及した技術的課題に限定されず、言及しない他の技術的課題は、下の記載から、本発明が属する技術分野で通常の知識を有する者に明確に理解される。
【課題を解決するための手段】
【０００８】
本発明の実施形態に係る無線通信システムにおいて端末がデータを送受信する方法であって、方法は、基地局からのダウンリンク制御情報（downlink control information）を受信する過程と、ダウンリンク制御情報に基づいて設定されたダウンリンク共有チャネル（downlink shared channel）を介して、基地局からダウンリンクデータ（downlink data）を受信する過程と、を有し、ダウンリンクデータがブロードキャスト（broadcast）される場合、ダウンリンク共有チャネルのバンドルサイズ（bundling size）は、予め（既に）定義された値（pre-defined value）に設定されることができる。
【０００９】
本発明の実施形態に係る方法であって、予め定義された値は、２つの物理リソースブロック（Physical Resource Block、PRB）であり得る。
【００１０】
ただし、上記の方法において、ダウンリンクデータがブロードキャストされない場合、ダウンリンク共有チャネルのバンドルサイズは、特定の数の物理リソースブロック又は端末に割り当てられた周波数リソース領域のサイズに設定されることができる。特定の数の物理リソースブロックを示す値は、ダウンリンク共有チャネルのために、予め設定されたバンドルサイズの集合（bundling size set）に有されることができる。また、周波数リソース領域のサイズが端末に対して予め設定された値より大きい場合、ダウンリンク共有チャネルのバンドルサイズは、周波数リソース領域のサイズに設定されることができる。予め設定された値は、基地局による上位層シグナリング（higher layer signaling）を介して設定されることができる。また、周波数リソース領域は、周波数軸において連続する物理リソースブロック（contiguous Physical Resource Block）に設定されることができる。
【００１１】
また、予め設定されたバンドルサイズの集合は、周波数リソース領域のサイズに基づいて設定されることができる。
【００１２】
また、ダウンリンクデータがブロードキャストされる場合、ダウンリンクデータは、端末のためのシステム情報ブロック（system information block）を有することができる。
【００１３】
本発明の実施形態に係る無線通信システムにおいてデータを送受信する端末であって、端末は、無線信号を送受信するための無線周波（Radio Frequency、ＲＦ）モジュール（module）と、ＲＦモジュールと機能的に接続されているプロセッサと、を有し、プロセッサは、基地局からのダウンリンク制御情報（downlink control information）を受信し、ダウンリンク制御情報に基づいて設定されたダウンリンク共有チャネル（downlink shared channel）を介して、基地局からダウンリンクデータ（downlink data）を受信する、ように制御し、ダウンリンクデータがブロードキャスト（broadcast）される場合、ダウンリンク共有チャネルのバンドルサイズ（bundling size）は、予め定義された値（pre-defined value）に設定されることができる。
【００１４】
本発明の実施形態に係る端末であって、予め定義された値は、２つの物理リソースブロック（Physical Resource Block、ＰＲＢ）であり得る。
【００１５】
ただし、上記の端末において、ダウンリンクデータがブロードキャストされない場合、ダウンリンク共有チャネルのバンドルサイズは、特定の数の物理リソースブロック又は端末に割り当てられた周波数リソース領域のサイズに設定されることができる。このとき、特定の数の物理リソースブロックを示す値は、ダウンリンク共有チャネルのために、予め設定されたバンドルサイズの集合（bundling size set）に有されることができる。また、周波数リソース領域のサイズが端末に対して予め設定された値より大きい場合、ダウンリンク共有チャネルのバンドルサイズは、周波数リソース領域のサイズに設定されることができる。また、周波数リソース領域は、周波数軸において連続する物理リソースブロック（contiguous Physical Resource Block）に設定されることができる。
【発明の効果】
【００１６】
本発明の実施形態によると、制御情報のオーバーヘッドを減少させてバンドルサイズを設定できる効果がある。
【００１７】
また、本発明の実施形態によると、少量の制御情報だけでも、多様なバンドルサイズを設定又は指示することができる効果がある。
【００１８】
また、本発明の実施形態によれば、プリコーディング（フリーコーディング）の柔軟性（precoding flexibility）とチャネル推定の精度との間のトレードオフ（trade-off）を考慮して、効率的なバンドリングの動作をサポートすることができる効果がある。
【００１９】
本発明で得られる効果は、以上で言及した効果に制限されず、言及しない他の効果は以下の記載から、本発明が属する技術分野で通常の知識を有する者に明確に理解される。
【図面の簡単な説明】
【００２０】
【図１】本明細書で提案する方法が適用されることができるＮＲの全体的なシステム構造の一例を示す図である。
【図２】本明細書で提案する方法が適用されることができる無線通信システムにおけるアップリンクフレームとダウンリンクフレームとの間の関係を示す図である。
【図３】本明細書で提案する方法が適用されることができる無線通信システムでサポートされるリソース（資源）グリッド（resource grid）の一例を示す図である。
【図４】本明細書で提案する方法が適用されることができるアンテナポート及びヌメロロジ（numerology）別のリソースグリッドの例を示す図である。
【図５】本明細書で提案する方法が適用されることができるｓｅｌｆ−ｃｏｎｔａｉｎｅｄ  ｓｌｏｔ構造の一例を示した図である。
【図６】本明細書で提案する方法が適用されることができる無線通信システムにおいてデータを送受信する端末の動作のフローチャートである。
【図７】本発明の一実施形態に係る無線通信装置のブロック構成図を例示する図である。
【図８】本発明の一実施形態に係る通信装置のブロック構成図を例示する図である。
【発明を実施するための形態】
【００２１】
本発明に関する理解を助けるために詳細な説明の一部として含まれる添付図面は、本発明に関する実施形態を提供し、詳細な説明と共に本発明の技術的特徴を説明する。
【００２２】
以下、本発明に従う好ましい実施形態を添付した図面を参照して詳細に説明する。添付した図面と共に以下に開示される詳細な説明は、本発明の例示的な実施形態を説明しようとするものであり、本発明が実施できる唯一の実施形態を示そうとするものではない。以下の詳細な説明は、本発明の完全な理解を提供するために、具体的な細部事項を含む。しかしながら、当業者は、本発明がこのような具体的な細部事項がなくても実施できることが分かる。
【００２３】
幾つかの場合、本発明の概念が曖昧になることを避けるために公知の構造及び装置は、省略されるか、又は各構造及び装置の中核機能を中心としたブロック図形式で図示できる。
【００２４】
本明細書で、基地局は、端末と直接通信を行う（遂行する）（communicates）ネットワークの終端ノード（terminal node）としての意味を有する。本文書で、基地局により行われ（遂行され）る（performed）ものとして説明された特定の動作は、場合によっては、基地局の上位ノード（upper node）により実行されることもできる。即ち、基地局を含む複数のネットワークノード（network nodes）からなるネットワークで、端末との通信のために実行される多様な動作は、基地局又は基地局以外の他のネットワークノードにより実行できることは自明である。‘基地局（ＢＳ：Base Station）’は、固定局（fixed station）、Ｎｏｄｅ  Ｂ、ｅＮＢ（evolved-NodeB）、ＢＴＳ（Base Transceiver System）、アクセスポイント（ＡＰ：Access Point）、ｇＮＢ（next generation NB, general NB, gNodeB）などの用語により置き換えできる。また、‘端末（Terminal）’は、固定されるか、又はモビリティ（移動性）（mobility）を有することができ、ＵＥ（User Equipment）、ＭＳ（Mobile Station）、ＵＴ（user terminal）、ＭＳＳ（Mobile Subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に置き換えできる。
【００２５】
以下、ダウンリンク（ＤＬ：DownLink）は、基地局から端末への通信を意味し、アップリンク（ＵＬ：UpLink）は、端末から基地局への通信を意味する。ダウンリンクにおいて、送信器は基地局の一部であり、受信器は端末の一部でありうる。アップリンクにおいて、送信器は端末の一部であり、受信器は基地局の一部でありうる。
【００２６】
以下の説明で使われる特定の用語は、本発明の理解を助けるために提供されたものであり、これらの特定用語の使用は、本発明の技術的思想を逸脱しない範囲で異なる形態に変更できる。
【００２７】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）、ＮＯＭＡ（Non-Orthogonal Multiple Access）などの多様な無線アクセス（接続）（access）システムに利用できる。ＣＤＭＡは、ＵＴＲＡ（Universal Terrestrial Radio Access）やＣＤＭＡ２０００などの無線技術（radio technology）で具現できる。ＴＤＭＡは、ＧＳＭ（登録商標）（Global System for Mobile communications）／ＧＰＲＳ（General Packet Radio Service）／ＥＤＧＥ（Enhanced Data rates for GSM Evolution）などの無線技術で具現できる。ＯＦＤＭＡは、ＩＥＥＥ  ８０２．１１（ＷｉＦｉ）、ＩＥＥＥ  ８０２．１６（ＷｉＭＡＸ）、ＩＥＥＥ  ８０２−２０、Ｅ−ＵＴＲＡ（Evolved UTRA）などの無線技術で具現できる。ＵＴＲＡは、ＵＭＴＳ（Universal Mobile Telecommunications System）の一部である。３ＧＰＰ（3rd Generation Partnership Project）ＬＴＥ（Long Term Evolution）は、Ｅ−ＵＴＲＡを使用するＥ−ＵＭＴＳ（Evolved UMTS）の一部であって、ダウンリンクでＯＦＤＭＡを採用し、アップリンクでＳＣ−ＦＤＭＡを採用する。ＬＴＥ−Ａ（advanced）は、３ＧＰＰ  ＬＴＥが進化したもの（evolution）である。
【００２８】
本発明の実施形態は、無線アクセスシステムであるＩＥＥＥ８０２、３ＧＰＰ、及び３ＧＰＰ２のうち、少なくとも１つで開示された標準文書により裏付けられる。即ち、本発明の実施形態のうち、本発明の技術的思想を明確に示すために説明しないステップ又は部分は、上記文書により裏付けられる。また、本文書で開示している全ての用語は、上記標準文書により説明できる。
【００２９】
説明を明確にするために、３ＧＰＰ ＬＴＥ／ＬＴＥ−Ａ／ＮＲ（New RAT）を中心として技術するが、本発明の技術的特徴がこれに制限されるものではない。
【００３０】
用語の定義
【００３１】
ｅＬＴＥ  ｅＮＢ：ｅＬＴＥ  ｅＮＢは、ＥＰＣ（Evolved Packet Core）及びＮＧＣ（Next Generation Core）に対する接続をサポートするｅＮＢが進化したものである。
【００３２】
ｇＮＢ：ＮＧＣとの接続だけでなく、ＮＲをサポートするノード。
【００３３】
新たなＲＡＮ：ＮＲ若しくはＥ−ＵＴＲＡをサポートするか、又はＮＧＣと相互作用する無線アクセスネットワーク。
【００３４】
ネットワークスライス（network slice）：ネットワークスライスは、終端間の範囲（レンジ）（inter-terminal range）と共に特定の要求事項を要求する特定の市場シナリオ（market scenario）に対して最適化された解決法（ソリューション）（solution）を提供するようにｏｐｅｒａｔｏｒにより定義されたネットワーク。
【００３５】
ネットワーク機能（network function）：ネットワーク機能は、よく定義された外部インターフェースとよく定義された機能的動作とを有するネットワークインフラ内における論理的ノード。
【００３６】
ＮＧ−Ｃ：新たなＲＡＮとＮＧＣとの間のＮＧ２リファレンスポイント（reference point）に使われる制御プレーン（制御平面）（control plane）インターフェース。
【００３７】
ＮＧ−Ｕ：新たなＲＡＮとＮＧＣとの間のＮＧ３リファレンスポイント（reference point）に使われるユーザプレーン（ユーザ平面）（user plane）インターフェース。
【００３８】
非スタンドアロン（独立型）（Non-standalone）ＮＲ：ｇＮＢが、ＬＴＥ  ｅＮＢをＥＰＣへの制御プレーン接続のためのアンカとして要求するか、又はｅＬＴＥ  ｅＮＢをＮＧＣへの制御プレーン接続のためのアンカとして要求する配置構成。
【００３９】
非スタンドアロンＥ−ＵＴＲＡ：ｅＬＴＥ  ｅＮＢが、ＮＧＣへの制御プレーン接続のためのアンカとしてｇＮＢを要求する配置構成。
【００４０】
ユーザプレーンゲートウェイ：ＮＧ−Ｕインターフェースの終端点（terminal point）。
【００４１】
システム一般
【００４２】
図１は、本明細書で提案する方法が適用されることができるＮＲの全体的なシステム構造の一例を示した図である。
【００４３】
図１を参照すると、ＮＧ−ＲＡＮは、ＮＧ−ＲＡユーザプレーン（新たなＡＳ  ｓｕｂｌａｙｅｒ／ＰＤＣＰ／ＲＬＣ／ＭＡＣ／ＰＨＹ）及びＵＥ（User Equipment）に対する制御プレーン（ＲＲＣ）プロトコルの終端（protocol terminal）を提供するｇＮＢで構成される。
【００４４】
上記ｇＮＢは、Ｘｎインターフェースを通じて相互接続（連結）される（connected）。
【００４５】
また、上記ｇＮＢは、ＮＧインターフェースを通じてＮＧＣに接続される。
【００４６】
より具体的には、上記ｇＮＢは、Ｎ２インターフェースを通じてＡＭＦ（Access and Mobility Management Function）に、Ｎ３インターフェースを通じてＵＰＦ（User Plane Function）に接続される。
【００４７】
ＮＲ（New Rat）ヌメロロジ（Numerology）及びフレーム（frame）構造
【００４８】
ＮＲシステムでは、複数のヌメロロジ（numerology）をサポートできる。ここで、ヌメロロジは、サブキャリア間隔（subcarrier spacing）及びＣＰ（Cyclic Prefix）オーバーヘッドにより定義できる。この際、複数のサブキャリア間隔は、基本サブキャリア間隔を整数Ｎ（又は、μ）にスケーリング（scaling）することにより導出（誘導）できる（derived）。また、非常に高い搬送波周波数で非常に低いサブキャリア間隔を利用しないと仮定されても、用いられるヌメロロジは、周波数帯域と独立して選択できる。
【００４９】
また、ＮＲシステムでは、複数のヌメロロジに従う多様なフレーム構造をサポートできる。
【００５０】
以下、ＮＲシステムで考慮できるＯＦＤＭ（Orthogonal Frequency Division Multiplexing）ヌメロロジ及びフレーム構造を説明する。
【００５１】
ＮＲシステムでサポートされる複数のＯＦＤＭヌメロロジは、表１のように定義できる。
【００５２】
＜表１＞
【表１】
0006770202.tif 000002
【００５３】
ＮＲシステムにおけるフレーム構造（frame structure）と関連して、時間領域の多様なフィールドのサイズは、
0006770202.tif 000003
の時間単位の倍数として表現される。ここで、
0006770202.tif 000004
であり、
0006770202.tif 000005
である。ダウンリンク（downlink）及びアップリンク（uplink）伝送（送信）（transmission）は、
0006770202.tif 000006
の区間を有する無線フレーム（radio frame）で構成される。ここで、無線フレームは、各々
0006770202.tif 000007
の区間を有する１０個のサブフレーム（subframe）で構成される。この場合、アップリンクに対する１セットのフレーム及びダウンリンクに対する１セットのフレームが存在することができる。
【００５４】
図２は、本明細書で提案する方法が適用されることができる無線通信システムにおけるアップリンクフレームとダウンリンクフレームとの間の関係を示す。
【００５５】
図２に示すように、端末（User Equipment、ＵＥ）からのアップリンクフレーム番号ｉの伝送は、該当端末における該当ダウンリンクフレームの開始より
0006770202.tif 000008
以前に始めなければならない。
【００５６】
ヌメロロジμに対して、スロット（slot）は、サブフレーム内で
0006770202.tif 000009
の増加する順に番号が付けられ、無線フレーム内で
0006770202.tif 000010
の増加する順に番号が付けられる。１つのスロットは、
0006770202.tif 000011
（個）の連続するＯＦＤＭシンボルで構成され、
0006770202.tif 000012
は、用いられるヌメロロジ及びスロット設定（slot configuration）によって決定される。サブフレームにおけるスロット
0006770202.tif 000013
の開始は、同一サブフレームにおけるＯＦＤＭシンボル
0006770202.tif 000014
の開始と時間的に揃えられる（整列される）（temporally aligned）。
【００５７】
全ての端末が同時に送信及び受信できるものではなく、これは、ダウンリンクスロット（downlink slot）又はアップリンクスロット（uplink slot）の全てのＯＦＤＭシンボルが利用可能ではない（利用できない）（not all OFDM symbols in a DL slot or an UL slot are available to be used）ことを意味する。
【００５８】
表２は、ヌメロロジμにおけるノーマル（一般）（normal）ＣＰに対するスロット当たりのＯＦＤＭシンボルの数を示し、表３は、ヌメロロジμにおける拡張（extended）ＣＰに対するスロット当たりのＯＦＤＭシンボルの数を示す。
【００５９】
＜表２＞
【表２】
0006770202.tif 000015
【００６０】
＜表３＞
【表３】
0006770202.tif 000016
【００６１】
ＮＲ物理リソース（NR Physical Resource）
【００６２】
ＮＲシステムにおける物理リソース（physical resource）と関連して、アンテナポート（antenna port）、リソースグリッド（resource grid）、リソースエレメント（要素）（resource element）、リソースブロック（resource block）、キャリアパート（carrier part）などが考慮できる。
【００６３】
以下、ＮＲシステムで考慮できる上記物理リソースに関して具体的に説明する。
【００６４】
まず、アンテナポートと関連して、アンテナポートは、１つのアンテナポート上のシンボルが運搬されるチャネルが、同一のアンテナポート上の他のシンボルが運搬されるチャネルから推論できるように定義される。１つのアンテナポート上のシンボルが運搬されるチャネルの広範囲特性（large-scale property）が、他のアンテナポート上のシンボルが運搬されるチャネルから類推できる場合、２つのアンテナポートは、ＱＣ／ＱＣＬ（Quasi Co-located又はQuasi Co-Location）関係にあるということができる。ここで、上記広範囲特性は、遅延拡散（Delay spread）、ドップラ拡散（Doppler spread）、周波数シフト（Frequency shift）、平均受信電力（パワー）（Average received power）、受信タイミング（Received Timing）のうちの１つ又は複数を含む。
【００６５】
図３は、本明細書で提案する方法が適用されることができる無線通信システムでサポートするリソースグリッド（resource grid）の一例を示す。
【００６６】
図３を参考すると、リソースグリッドが周波数領域上に
0006770202.tif 000017
（個の）サブキャリアで構成され、１つのサブフレームが１４・２μ（個の）ＯＦＤＭシンボルで構成されることを例示的に記述するが、これに限定されるものではない。
【００６７】
ＮＲシステムにおいて、伝送される信号（transmitted signal）は、
0006770202.tif 000018
（個の）サブキャリアで構成される一つ又は複数のリソースグリッド及び
0006770202.tif 000019
（個）のＯＦＤＭシンボルによって説明される。ここで、
0006770202.tif 000020
である。上記
0006770202.tif 000021
は、最大伝送帯域幅を示し、これは、ヌメロロジだけでなく、アップリンクとダウンリンクとの間でも異なることができる。
【００６８】
この場合、図４のように、ヌメロロジμ及びアンテナポートｐごとに１つのリソースグリッドが設定されることができる。
【００６９】
図４は、本明細書で提案する方法が適用されることができるアンテナポート及びヌメロロジ別のリソースグリッドの例を示す。
【００７０】
ヌメロロジμ及びアンテナポートｐに対するリソースグリッドの各要素は、リソース要素（resource element）と呼ばれており、インデックス対
0006770202.tif 000022
によって一意に（固有的に）（uniquely）識別される。ここで、
0006770202.tif 000023
は、周波数領域上のインデックスであり、
0006770202.tif 000024
は、サブフレーム内におけるシンボルの位置を示す（称する）（indicates）。スロットにおけるリソース要素を示すときは、インデックス対
0006770202.tif 000025
が利用される。ここで、
0006770202.tif 000026
である。
【００７１】
ヌメロロジμ及びアンテナポートｐに対するリソース要素
0006770202.tif 000027
は、複素値（complex value）
0006770202.tif 000028
に該当する。混同（confusion）する危険性がない場合、あるいは、特定のアンテナポート又はヌメロロジが特定されない場合には、インデックスｐ及びμは、ドロップ（省略）（drop）されることができ、その結果、複素値は、
0006770202.tif 000029
又は
0006770202.tif 000030
になることがある。
【００７２】
また、物理リソースブロック（physical resource block）は、周波数領域上の
0006770202.tif 000031
（個の）連続するサブキャリアとして定義される。周波数領域上で、物理リソースブロックは、０から
0006770202.tif 000032
までの番号が付けられる。このとき、周波数領域上の物理リソースブロック番号（physical resource block number）
0006770202.tif 000033
とリソース要素
0006770202.tif 000034
との間の関係は、数式１のように与えられる。
【００７３】
＜数式１＞
【数１】
0006770202.tif 000035
【００７４】
また、キャリアパーツ（carrier part）に関連して、端末は、リソースグリッドのサブセット（subset）のみを用いて、受信又は伝送するように設定されることができる。このとき、端末が受信又は伝送するように設定されたリソースブロックの集合（set）は、周波数領域上で０から
0006770202.tif 000036
までの番号が付けられる。
【００７５】
ビーム管理（Beam management）
【００７６】
ＮＲにおいて、ビームの管理は、次のように定義される。
【００７７】
ビーム管理（Beam management）：ＤＬ及びＵＬ送受信に使用することができるＴＲＰ及び／又はＵＥビームの対（セット：set）を獲得し、維持するためのＬ１／Ｌ２手順のセットであって、少なくとも次の事項を含む。
【００７８】
−ビーム決定：ＴＲＰ又はＵＥが、自体の送信／受信ビームを選択する動作。
【００７９】
−ビーム測定：ＴＲＰ又はＵＥが、受信したビームフォーミング（ビーム形成）信号（beamformed signal）の特性を測定する動作。
【００８０】
−ビームレポート：ＵＥがビームの測定に基づいてビームフォーミングされた信号の情報を報告する動作。
【００８１】
−ビームスイープ（Beam sweeping）：予め決定された方法における時間間隔の間に送信及び／又は受信したビームを利用して、空間領域をカバーする動作。
【００８２】
また、ＴＲＰ及びＵＥにおけるＴｘ／Ｒｘビーム対応（correspondence）は、次のように定義される。
【００８３】
−ＴＲＰにおけるＴｘ／Ｒｘビーム対応は、以下のうちの少なくとも一つが満たされると、維持される。
【００８４】
−ＴＲＰは、ＴＲＰの１つ又は複数の送信ビームのＵＥのダウンリンクの測定に基づいて、アップリンク受信のためのＴＲＰ受信ビームを決定することができる。
【００８５】
−ＴＲＰは、ＴＲＰの１つ又は複数のＲｘビームのＴＲＰのアップリンク測定に基づいて、ダウンリンク伝送のＴＲＰ Ｔｘビームを決定することができる。
【００８６】
−ＵＥにおけるＴｘ／Ｒｘビーム対応は、以下のうちの少なくとも一つが満たされると、維持される。
【００８７】
−ＵＥは、ＵＥの１つ又は複数のＲｘビームのＵＥのダウンリンクの測定に基づいて、アップリンク伝送のためのＵＥ Ｔｘビームを決定することができる。
【００８８】
−ＵＥは、１つ又は複数のＴｘビームのアップリンクの測定に基づいたＴＲＰの指示に基づいて、ダウンリンクの受信のためのＵＥ受信ビームを決定することができる。
【００８９】
−ＴＲＰによって、ＵＥビーム対応関連情報の能力指示がサポートされる。
【００９０】
次のようなＤＬ Ｌ１／Ｌ２ビーム管理手順が、１つ又は複数のＴＲＰ内でサポートされる。
【００９１】
Ｐ−１：ＴＲＰ Ｔｘビーム／ＵＥ Ｒｘビームの選択をサポートするために、異なるＴＲＰ ＴｘビームのＵＥ測定を可能にするのに使用される。
【００９２】
−ＴＲＰからのビームフォーミングの場合、一般的に、互いに異なるビームセットには、イントラ（intra）／インター（inter）ＴＲＰ Ｔｘビームスイープ（sweep）が含まれる。ＵＥからのビームフォーミングのために、それには、一般的に異なるビームセットからのＵＥ Ｒｘビームsweepが含まれる。
【００９３】
Ｐ−２：異なるＴＲＰ ＴｘビームのＵＥ測定が、インター／イントラＴＲＰ Ｔｘビームを変更するようにするのに使用される。
【００９４】
Ｐ−３：ＵＥがビームフォーミングを使用する場合に、同じＴＲＰ ＴｘビームのＵＥ測定が、ＵＥ Ｒｘビームを変更するのに使用される。
【００９５】
少なくともネットワークによってトリガされた非周期的レポート（aperiodic reporting）は、Ｐ−１、Ｐ−２及びＰ−３関連の動作でサポートされる。
【００９６】
ビーム管理（少なくともＣＳＩ−ＲＳ）のためのＲＳに基づくＵＥ測定は、Ｋ（ビームの総計数）（個）のビームで構成され、ＵＥは、選択されたＮ個のＴｘビームの測定結果を報告する。ここで、Ｎは、必ずしも固定された数ではない。モビリティの目的のためのＲＳに基づいた手順は、排除されない。レポート情報は、少なくともＮ＜Ｋである場合、Ｎ個のビームの測定量及びＮ個のＤＬ送信ビームを示す情報を含む。特に、ＵＥは、Ｋ’＞１（個の）ノンゼロパワー（ＮＺＰ）ＣＳＩ−ＲＳリソースについて、Ｎ’（個）のＣＲＩ（ＣＳＩ−ＲＳリソースの指示子）を報告することができる。
【００９７】
ＵＥは、ビームを管理するために、次のような上位層パラメータ（higher layer parameter）に設定されることができる。
【００９８】
−Ｎ≧１（個の）レポートの設定（setting）、Ｍ≧１（個の）リソースの設定
【００９９】
−レポートの設定とリソースの設定との間のリンクは、合意されたＣＳＩ測定設定で設定される。
【０１００】
−ＣＳＩ−ＲＳベースＰ−１及びＰ−２は、リソース及びレポートの設定でサポートされる。
【０１０１】
−Ｐ−３は、レポートの設定の有無にかかわらずサポートされることができる。
【０１０２】
−少なくとも以下の事項を含むレポートの設定（reporting setting）
【０１０３】
−選択されたビームを示す情報
【０１０４】
−Ｌ１測定レポート（L1 measurement reporting）
【０１０５】
−時間領域の動作（例えば、非周期的（aperiodic）動作、周期的（periodic）動作、セミパーシステント（半−持続）（semi-persistent）動作）
【０１０６】
複数の周波数粒度（frequency granularity）がサポートされている場合の周波数粒度（細分性）
【０１０７】
−少なくとも以下の事項を含むリソースの設定（resource setting）
【０１０８】
−時間領域の動作（例えば、非周期的動作、周期的動作、セミパーシステント動作）
【０１０９】
−ＲＳタイプ：少なくともＮＺＰ ＣＳＩ−ＲＳ
【０１１０】
−少なくとも一つのＣＳＩ−ＲＳのリソースセット。各ＣＳＩ−ＲＳリソースセットは、Ｋ≧１（個の）ＣＳＩ−ＲＳリソースを含む（Ｋ個のＣＳＩ−ＲＳのリソースの一部のパラメータは、同じであることがある。例えば、ポート番号、時間領域の動作、密度及びサイクル）。
【０１１１】
また、ＮＲは、Ｌ＞１のＬ（個の）グループを考慮して、次のビーム報告をサポートする。
【０１１２】
−最小限のグループを表す情報
【０１１３】
−Ｎ１ビームの測定量（measurement quantity）（Ｌ１ ＲＳＲＰ及びＣＳＩレポートのサポート（ＣＳＩ−ＲＳがＣＳＩ獲得のためのものである場合））
【０１１４】
−適用可能な場合には、Ｎｌ個のＤＬ送信ビームを示す情報
【０１１５】
前述したようなグループベースのビームのレポートは、ＵＥ単位で構成することができる。また、上記グループベースのビームのレポートは、ＵＥ単位でターンオフ（turn-off）することができる（例えば、Ｌ ＝ １又はＮｌ ＝ １の場合）。
【０１１６】
ＮＲは、ＵＥがビーム失敗からリカバリするメカニズムをトリガすることができることをサポートする。
【０１１７】
ビーム失敗（beam failure）のイベントは、関連付けられた制御チャネルのビームペアリンク（beam pair link）の品質が十分に低いとき発生する（例えば、しきい値との比較、関連タイマのタイムアウト）。ビームの失敗（又は障害）からリカバリするメカニズムは、ビーム障害が発生したときトリガされる。
【０１１８】
ネットワークは、復旧の目的で、ＵＬ信号を伝送するためのリソースを有するようにＵＥを明示的に構成する。リソースの構成は、基地局が全体又は一部の方向からリッスン（聴取）（listening）する所（例えば、random access region）でサポートされる。
【０１１９】
ビーム障害を報告するＵＬ送信／リソースは、ＰＲＡＣＨと同じ時間インスタンス（instance）（ＰＲＡＣＨリソースに直交するリソース）に、又はＰＲＡＣＨと異なる（他の）（different）時間インスタンス（ＵＥに対して設定可能）に、位置することができる。ＤＬ信号の送信は、ＵＥが新しい潜在的なビームを識別するためにビームを監視することができるようサポートされる。
【０１２０】
ＮＲは、ビームに関連する指示（beam-related indication）に関係なく、ビームの管理をサポートする。ビーム関連の指示が提供される場合、ＣＳＩ−ＲＳベースの測定のために使用されるＵＥ側のビームフォーミング／受信手順についての情報は、ＱＣＬを介してＵＥに指示することができる。ＮＲでサポートするＱＣＬパラメータには、ＬＴＥシステムで使用していたｄｅｌａｙ、Ｄｏｐｐｌｅｒ、ａｖｅｒａｇｅ  ｇａｉｎなどのパラメータだけでなく、受信端におけるビームフォーミングのためのスペースのパラメータが追加される予定であり、端末の受信ビームフォーミングの観点からａｎｇｌｅ  ｏｆ  ａｒｒｉｖａｌ関連のパラメータ及び／又は基地局の受信ビームフォーミングの観点からａｎｇｌｅ  ｏｆ  ｄｅｐａｒｔｕｒｅ関連のパラメータが含まれることができる。ＮＲは、制御チャネル及び当該データチャネルの伝送において、同じであるか又は異なる（別の）（different）ビームを使用することをサポートする。
【０１２１】
ビームペアリンクブロッキング（beam pair link blocking）のロバスト（堅牢）性（robustness）をサポートするＮＲ−ＰＤＣＣＨ伝送のために、ＵＥは、同時にＭ個のビームペアリンク上でＮＲ−ＰＤＣＣＨを監視するように構成されることができる。ここで、Ｍ≧１のＭの最大値は、少なくともＵＥ能力に依存することができる。
【０１２２】
ＵＥは、異なるＮＲ−ＰＤＣＣＨ ＯＦＤＭシンボルにおいて、異なるビームペアリンク上のＮＲ−ＰＤＣＣＨを監視するように構成されることができる。複数のビームペアリンク上でＮＲ−ＰＤＣＣＨを監視するためのＵＥ Ｒｘビームの設定に関するパラメータは、上位層シグナリング若しくはＭＡＣ ＣＥによって構成されるか、並びに／又はサーチスペース（探索空間）（search space）設計で考慮される。
【０１２３】
少なくとも、ＮＲは、ＤＬ ＲＳアンテナポートとＤＬ制御チャネルの復調のためのＤＬ ＲＳアンテナポートとの間の空間ＱＣＬの仮定（spatial QCL assumption）の指示をサポートする。ＮＲ−ＰＤＣＣＨのビーム指示のための候補シグナリング方法（すなわち、ＮＲ−ＰＤＣＣＨを監視する構成方法）は、ＭＡＣ ＣＥシグナリング、ＲＲＣシグナリング、ＤＣＩシグナリング、スペックｔｒａｎｓｐａｒｅｎｔ及び／若しくは暗黙的な方法、並びにこれらのシグナリング方法の組み合わせある。
【０１２４】
ユニキャストＤＬデータチャネルの受信のために、ＮＲは、ＤＬ ＲＳアンテナポートとＤＬデータチャネルのＤＭＲＳアンテナポートとの間の空間ＱＣＬ仮定の指示をサポートする。
【０１２５】
ＲＳアンテナポートを示す情報は、ＤＣＩ（ダウンリンク許可）を介して指示（表示）される（indicated）。また、この情報は、ＤＭＲＳアンテナポートとＱＣＬされているＲＳアンテナポートを示す。ＤＬデータチャネルのＤＭＲＳアンテナポートの異なるセットは、ＲＳアンテナポートの他のセットとのＱＣＬとして表すことができる。
【０１２６】
以下、本明細書で提案する方法を具体的に説明する前に、本明細書で提案する方法と直接／間接的に関連する内容に関して、まず簡単に、そして注意深く見る。
【０１２７】
５Ｇ、Ｎｅｗ Ｒａｔ（ＮＲ）などの次世代通信においては、さらに多くの通信機器がさらに大きい通信容量を要求することに伴い、従来のＲａｄｉｏ  Ａｃｃｅｓｓ  Ｔｅｃｈｎｏｌｏｇｙ（ＲＡＴ）に比べて改善されたｍｏｂｉｌｅ  ｂｒｏａｄｂａｎｄ通信の必要性が台頭している。
【０１２８】
また、複数の機器とモノ（物事）（things）とを接続して、いつでもどこでも、様々なサービスを提供するｍａｓｓｉｖｅ ＭＴＣ（Machine Type Communications）もまた次世代通信で考慮される重要な論点の一つである。
【０１２９】
それだけではなく、信頼性（reliability）及び遅延（latency）にセンシティブ（敏感）な（sensitive）サービス及び／又は端末（ＵＥ）を考慮した通信システムのデザイン又は構造が議論されている。
【０１３０】
このように、ｅｎｈａｎｃｅｄ  Ｍｏｂｉｌｅ  ＢｒｏａｄＢａｎｄ（ｅＭＢＢ）ｃｏｍｍｕｎｉｃａｔｉｏｎ、ｍａｓｓｉｖｅ  ＭＴＣ（ｍＭＴＣ）、ＵＲＬＬＣ（Ultra-Reliable and Low Latency Communication）などを考慮した次世代Ｒａｄｉｏ  Ａｃｃｅｓｓ  Ｔｅｃｈｎｏｌｏｇｙ（ＲＡＴ）の導入が現在議論されており、本明細書においては、便宜上、当該ｔｅｃｈｎｏｌｏｇｙを「ｎｅｗ  ＲＡＴ（ＮＲ）」と通称する。
【０１３１】
Ｓｅｌｆ−ｃｏｎｔａｉｎｅｄスロット構造
【０１３２】
ＴＤＤシステムにおいて、データ伝送のｌａｔｅｎｃｙを最小にするために、５世代Ｎｅｗ ＲＡＴ（ＮＲ）では、図５のようなｓｅｌｆ−ｃｏｎｔａｉｎｅｄ  ｓｌｏｔ  ｓｔｒｕｃｔｕｒｅ（セルフコンテインドスロット構造）を考慮している。
【０１３３】
すなわち、図５は、本明細書において提案する方法が適用されることができるｓｅｌｆ−ｃｏｎｔａｉｎｅｄ  ｓｌｏｔ構造の一例を示した図である。
【０１３４】
図５において、斜線を引いた領域５１０は、ダウンリンク制御（downlink control）領域を示し、黒い部分５２０は、アップリンク制御（uplink control）領域を示す。
【０１３５】
何れの表示もない部分５３０は、ｄｏｗｎｌｉｎｋ  ｄａｔａ伝送のために使用されることもあり、ｕｐｌｉｎｋ  ｄａｔａ伝送のために使用することもできる。
【０１３６】
このような構造の特徴は、一つのｓｌｏｔ内でＤＬ伝送とＵＬ伝送とが順次行われ、一つのｓｌｏｔ内でＤＬ  ｄａｔａを送信し、ＵＬ  Ａｃｋ／Ｎａｃｋも送受信することができる。
【０１３７】
このようなｓｌｏｔを「ｓｅｌｆ−ｃｏｎｔａｉｎｅｄ  ｓｌｏｔ」と定義することができる。
【０１３８】
すなわち、このようなｓｌｏｔ構造を介して、基地局は、データ伝送エラーの発生時に端末にデータを再伝送するまでにかかる時間を減らすことになり、これにより、最終的なデータ伝達のｌａｔｅｎｃｙを最小にすることができる。
【０１３９】
このようなｓｅｌｆ−ｃｏｎｔａｉｎｅｄ  ｓｌｏｔ構造において、基地局及び端末は、送信モードから受信モードに切り替える過程又は受信モードから送信モードに切り替える過程のための時間間隔（time gap）が必要である。
【０１４０】
このため、当該ｓｌｏｔ構造において、ＤＬからＵＬへ切り替えられる時点の一部のＯＦＤＭ  ｓｙｍｂｏｌが、ガード（保護）区間（Guard Period、ＧＰ）として設定される。
【０１４１】
以下、本明細書では、ダウンリンクデータの送受信に関連して、ダウンリンク共有チャネル（physical shared channel）（例えば、ＰＤＳＣＨ（Physical Downlink Shared CHannel））に適用されるＰＲＢバンドルのサイズ（Physical Resource Block bundling size）を設定及び／又は指示する方法について具体的に注意深く見る。
【０１４２】
ＰＲＢバンドリングとは、データ伝送時の隣接する複数のリソースブロック（すなわち、物理リソースブロック、ＰＲＢ）にわたって同じＰＭＩを適用する動作を意味することができる。すなわち、これは、端末がＰＭＩレポート及び／又はＲＩレポートを実行するために、周波数領域上の複数のリソースブロックを、プリコーディング（precoding）のための一つの粒度（グラニュラリティ）（granularity）で仮定することを意味することができる。
【０１４３】
また、ダウンリンク共有チャネルのＰＲＢバンドリングは、ＤＭＲＳバンドリング（DeModulation Reference Signal bundling）を意味するか、示すことであり得る。
【０１４４】
この場合、プリコーディングリソースブロックグループ（Precoding Resource block Group、ＰＲＧ）のサイズ（例えば、Ｐ’又はＰ’BWP、i）に基づいて、システムの帯域幅（system bandwidth）又は帯域幅の部分（bandwidth part）を分割することができる。それぞれのＰＲＧは、連続するＰＲＢ（consecutive ＰＲＢｓ、contiguous ＰＲＢｓ）で構成されることができる。すなわち、本明細書で説明されるＰＲＢバンドルサイズ（PRB bundling size）は、ＰＲＧのサイズ又はＰＲＧ値を意味することができる。また、ＰＲＢバンドルサイズを示す値（すなわち、数字）は、当該ＰＲＢバンドルのためのＰＲＢの数を意味することができる。
【０１４５】
このとき、ＰＲＢバンドルのサイズの設定は、ＰＲＢで使用されるプリコーダ（フリーコーダー）（precoders）の柔軟性（flexibility）とチャネル推定の品質との間のトレードオフ（trade-off）を考慮して決定される必要がある。具体的には、ＰＲＢバンドルのサイズが非常に大きく設定される場合には、すべてのＰＲＢにおいて同じプリコーダを利用しなければならない点に基づいて、柔軟性の面の欠点が誘発されることがある。これとは異なり、ＰＲＢバンドルのサイズが非常に小さく設定される場合には、チャネル推定において複雑度が増加することができる。これにより、ＰＲＢバンドルのサイズを設定することは、前述したような側面を考慮して効率的に実行される必要がある。
【０１４６】
ダウンリンクデータの伝送に関連して、ＮＲシステムにおけるＰＲＢバンドルサイズの値は、予め設定された値（例えば、１、２、４、８、１６など）の内から特定の値が選択される方法（以下、第１方式）、及び／又は、周波数領域上で、当該端末に対して連続してスケジューリングされた（すなわち、割り当てられた）帯域幅（又はＰＲＢ）と同じ値に設定される方式（以下、第２方式）に応じて設定されることができる。このとき、第１方式及び第２方式は、互いに独立して適用されるか、二つの方式を混合して適用されることもある。
【０１４７】
例えば、ＰＲＢバンドルサイズの集合が｛２，４，端末の割り当て帯域（例えば、広帯域（wideband））｝に設定される場合、ＰＲＢバンドルサイズは、前述した第１方式に基づいて、２又は４のいずれか１つの値であると選択（又は決定）することができる。あるいは、この場合、ＰＲＢバンドルサイズは、前述した第２方式に基づいて、端末の割り当て帯域であると選択することもできる。
【０１４８】
これと関連して、ＮＲシステムにおいては、ＰＲＢバンドルサイズを１ビット（1 bit）の値を通じて指示する方法が検討されている。ただし、１ビットの情報のみを利用する場合、二つのＰＲＢバンドルサイズしか指示することができないので、さらに多くのＰＲＢバンドルサイズを指示又は設定するためには、追加の又は代替的な方法が考慮される必要がある。
【０１４９】
前述した点を考慮して、効率的なＰＲＢバンドリングを設定及び／又は指示するために、本明細書においては、ＰＲＢバンドルサイズの集合を設定する方法（以下、第１実施形態）、ＰＲＢバンドルサイズを明示的又は暗黙的に設定する方法（以下、第１実施形態、第２実施形態）、ＰＲＢバンドリングのための適用方式（すなわち、前述した第１方式及び第２方式）を選択する方法（以下、第３実施形態）、リソースの割り当てタイプ（resource allocation type）に基づいてＲＰＢバンドリングを適用する方法（以下、第４実施形態）を注意深く見る。
【０１５０】
また、ダウンリンク共有チャネル（例えば、ＰＤＳＣＨ）がブロードキャストされる情報（例えば、システム情報ブロック（System Information Block、ＳＩＢ）、ランダムアクセス応答（Random Access Response、ＲＡＲ）、ページング（paging）情報など）を伝達する場合を考慮したＰＲＢバンドルサイズの設定方法（以下、第５実施形態）についても注意深く見る。一例として、第５実施形態と区分して、第１実施形態乃至第４実施形態に該当する内容は、一般的なダウンリンクデータ及び／又はブロードキャストされるダウンリンクデータに適用されると仮定することもある。
【０１５１】
以下で説明される実施形態は、説明の便宜のために区分されただけであり、いずれかの実施形態の一部の構成や特徴は、他の実施形態に含まれることができ、又は他の実施形態に対応する構成若しくは特徴と置き換えることができる。例えば、以下の第１実施形態で説明されるＰＲＢバンドルサイズの集合については、本明細書の様々な実施形態に対して共通に適用されることもある。また、ＰＲＢバンドリングの設定及び／又は指示のために、以下の第１実施形態乃至第４実施形態で説明される方式（例えば、一般的なダウンリンクデータの方式）と第５実施形態で説明される方法（例えば、ブロードキャストダウンリンクデータの方式）とが独立して、又は結合されて適用されることができ、その逆の場合も可能である。
【０１５２】
第１実施形態
【０１５３】
以下、第１実施形態では、ＰＲＢバンドルサイズの集合（PRB bundling size set）を決定又は設定する方法について具体的に注意深く見る。ここで、ＰＲＢバンドルサイズの集合は、ＰＲＢバンドルサイズとして選択されることがある候補ＰＲＢバンドルサイズで構成される集合を意味する。例えば、ＰＲＢバンドルサイズの集合は、｛２，４，端末割り当て帯域，... ｝に設定されることができる。
【０１５４】
本実施形態においては、ＮＲシステムで考慮するＰＲＢバンドルサイズの指示子（PRB bundling size indicator）が１ビットで構成される点を考慮して、ＰＲＢバンドルサイズの集合の要素（元素）（element）の数が２で設定される場合を仮定する。ただし、本実施形態で説明される方法は、勿論、ＰＲＢバンドルサイズ指示子が１ビット以上で構成される場合及びＰＲＢバンドルサイズの集合の要素の数が２以上に設定される場合にも、拡張して適用されることがある。
【０１５５】
なお、以下説明される方法は、説明の便宜のために区分されただけであり、いずれかの方法の一部の構成や特徴は、他の方法に含まれることができ、又は他の方法の対応する構成若しくは特徴と置き換えることができる。
【０１５６】
方法１）
【０１５７】
システムの帯域幅（system bandwidth）に応じて、２つのＰＲＢバンドルサイズで構成された集合が決定され、基地局がダウンリンク制御情報（Downlink Control Information、ＤＣＩ）を介して１ビットで当該端末が適用されるＰＲＢバンドルサイズを指示するように設定することができる。すなわち、システム帯域幅に応じてＰＲＢバンドルサイズの集合が｛ｂｕｎｄｌｉｎｇ  ｓｉｚｅ  Ａ，ｂｕｎｄｌｉｎｇ  ｓｉｚｅ  Ｂ｝であると決定され、ＤＣＩに属するＰＲＢバンドルサイズ指示子がＡ又はＢを指示するように設定されることがある。
【０１５８】
たとえば、システム帯域幅が５ＭＨｚ以下の場合、ＰＲＢバンドルサイズの集合は、｛２，４｝に設定され、システム帯域幅が５ＭＨｚ以上１０ＭＨｚ以下の場合、ＰＲＢバンドルサイズの集合は、｛４，８｝に設定され、システム帯域幅が１０ＭＨｚ以上の場合、ＰＲＢバンドルサイズの集合は、｛８，１６｝に設定されることができる。このとき、集合内で定義された二つのサイズの値は、１ビットのＤＣＩフィールドを介して選択されることがある。
【０１５９】
方法２）
【０１６０】
前述した方法１の場合、システム帯域幅に応じてＰＲＢバンドルサイズの集合が変更されることができる。これとは異なり、端末のＲＦ能力（Radio Frequency capability）によって決定される端末の受信及び／又は送信可能な帯域幅に応じて、ＰＲＢバンドルサイズの集合が設定（又は変更）されることもできる。ここで、受信及び／又は送信可能な帯域幅は、システム帯域幅の一部の周波数領域で構成され、システム帯域幅のうちの当該端末にリソースを割り当てることができる周波数領域を意味することができる。
【０１６１】
すなわち、システム帯域幅ではなく、端末が実際に送受信を行うことができる帯域幅に応じて、ＰＲＢバンドルサイズの集合が設定されることができる。この場合、端末は、このような能力情報を基地局に予め報告する必要が有り得る。
【０１６２】
本明細書においては、このような端末の受信及び／又は送信可能な帯域幅を端末固有（特定）広帯域（UE specific wideband）と称する。すなわち、端末固有広帯域は、当該端末に割り当てることができる（又はスケジューリング可能な）周波数領域上の帯域幅を意味することができ、当該端末の動作については、「広帯域（wideband）」で縮約されることもできる。
【０１６３】
例えば、端末固有の広帯域が５ＭＨｚ以下の場合、ＰＲＢバンドルサイズの集合は、｛２，４｝に設定され、端末固有の広帯域が５ＭＨｚ以上１０ＭＨｚ以下の場合、ＰＲＢバンドルサイズの集合は、｛４，８｝に設定され、端末固有広帯域が１０ＭＨｚ以上の場合、ＰＲＢバンドルサイズの集合は、｛８，１６｝に設定されることができる。この際にも、集合内で定義された２つの値は、１ビットのＤＣＩフィールドを介して選択されることがある。
【０１６４】
方法３）
【０１６５】
前述した端末固有の広帯域は、１つ又は複数の帯域幅部分（bandwidth part、以下ＢＷＰ）として定義されることができ、基地局は、端末に単一又は複数のＢＰを設定することができる。このとき、基地局は、設定されたＢＷＰの単一又は複数のＢＷＰを活性化又は非活性化することができ、これを端末に知らせ、活性化されたＢＷＰにのみ当該端末のためのリソースを割り当てることができる。
【０１６６】
このような点を考慮して、活性化されたＢＷＰのサイズ（すなわち、当該ＢＷＰが、いくつのＲＢ（すなわち、ＰＲＢ）で構成されるか、ＢＷＰの周波数帯域幅）に応じてＰＲＢバンドルサイズの集合が決定されることができる。例えば、活性化されたＢＷＰのサイズが１０ＭＨｚ以下の場合、ＰＲＢバンドルサイズの集合は、｛２、４｝に設定され、活性化ＢＷＰのサイズが１０ＭＨｚ以上の場合、ＰＲＢバンドルサイズの集合は、｛８、１６｝に設定されることができる。
【０１６７】
端末のために活性化されたＢＷＰが複数である場合、各活性化されたＢＷＰ別に、ＢＷＰのサイズに応じて、ＰＲＢバンドルサイズ又はＰＲＢバンドルサイズの集合が、独立して設定（又は決定）されることができる。あるいは、活性化されたＢＷＰが複数である場合、活性化されたＢＷＰのＲＢサイズ（RB size）の総和（合）に基づいて、ＰＲＢバンドルサイズ又はＰＲＢバンドルサイズの集合が設定されることもある。例えば、第１ＢＷＰ及び第２ＢＷＰが活性化された場合、第１ＢＷＰのＲＢサイズと第２ＢＷＰのＲＢサイズとの総和によって、ＰＲＢバンドルサイズが決定されることができる。別の例では、ＢＷＰの総和が１０ＭＨｚ以下の場合、ＰＲＢバンドルサイズの集合は、｛２，４｝に設定され、ＢＷＰの総和が１０ＭＨｚ以上の場合、ＰＲＢバンドルサイズの集合は、｛８，１６｝に設定されることがある。
【０１６８】
あるいは、活性化されたＢＷＰが複数である場合、前述した方法に基づいて、活性化されたＢＷＰの平均サイズ、活性化されたＢＷＰのうちの最小サイズの値、活性化されたＢＷＰのうちの最大サイズの値に基づいて、ＰＲＢバンドルサイズが決定されることもある。
【０１６９】
このとき、集合内で定義される２つの値は、１ビットのＤＣＩフィールドを介して選択されることがある。
【０１７０】
方法４）
【０１７１】
前述した方法１の場合、システム帯域幅に応じて、ＰＲＢバンドルサイズの集合が変更されることができる。これとは異なり、ＲＢＧ（Resource Block Group）のサイズに応じて、ＰＲＢバンドルサイズの集合が変更されることもある。
【０１７２】
例えば、ＲＢＧサイズが１つのＲＢの場合、ＰＲＢバンドルサイズが１つのＲＢに固定され、ＲＢＧサイズが２つのＲＢの場合、ＰＲＢバンドルサイズの集合は、｛１，２｝に設定され、ＲＢＧサイズが８つのＲＢである場合、ＰＲＢバンドルサイズの集合は、｛４，８｝に設定され、ＲＢＧサイズが１６個のＲＢである場合、ＰＲＢバンドルサイズの集合は、｛８，１６｝に設定されることができる。
【０１７３】
このとき、集合内に定義された２つの値は、１ビットのＤＣＩフィールドを介して選択されることができる。
【０１７４】
方法５）
【０１７５】
前述した方法１の場合、システム帯域幅に応じて、ＰＲＢバンドルサイズの集合が変更されることができる。これとは異なり、ＰＭＩ（Precoding Matrix Indicator）（又はＲＩ（Rank Indicator））が報告又は指示されるサブバンド（subband）のサイズに応じて、ＰＲＢバンドルサイズの集合が変更されることもある。
【０１７６】
例えば、サブバンドのサイズが１つのＲＢの場合、ＰＲＢバンドルサイズが１つのＲＢに固定され、サブバンドのサイズが２つのＲＢの場合、ＰＲＢバンドルサイズの集合は、｛１，２｝に設定され、サブバンドのサイズが８つのＲＢである場合、ＰＲＢバンドルサイズの集合は、｛４，８｝に設定され、サブバンドのサイズが１６個のＲＢである場合、ＰＲＢバンドルサイズの集合は、｛８，１６｝に設定されることがある。
【０１７７】
ダウンリンクのために端末がサブバンドベースのＰＭＩを報告するとき、当該サブバンド内でＰＭＩが変更されないと仮定するので、実際に伝送されるデータのＰＲＢバンドルサイズもサブバンドのサイズに応じて大きくなることが望ましいことがある。同様に、アップリンクにおけるサブバンドベースのＰＭＩがＤＣＩを介して指示されるとき、当該サブバンド内でＰＭＩが変更されないと仮定するので、実際に伝送されるデータのＰＲＢバンドルサイズもサブバンドのサイズに応じて大きくなることが望ましいことがある。
【０１７８】
このとき、集合内で定義される２つの値は、１ビットのＤＣＩフィールドを介して選択されることがある。
【０１７９】
方法６）
【０１８０】
また、実際の端末にデータを送信するために割り当てられたリソースのサイズ（例えば、ＲＢ）に応じて、ＰＲＢバンドルサイズの集合が変更されることがある。
【０１８１】
例えば、端末に対して割り当てられたリソースが１０個のＲＢ以下の場合、ＰＲＢバンドルサイズの集合は、｛２，４｝に設定され、端末に対し割り当てられたリソースが１０個のＲＢ以上２０個のＲＢ以下である場合、ＰＲＢバンドルサイズの集合は、｛４，８｝に設定され、端末に対し割り当てられたリソースが２０個のＲＢ以上の場合、ＰＲＢバンドルサイズの集合は、｛８，１６｝に設定されることができる。
【０１８２】
このとき、集合内で定義された２つの値は、１ビットのＤＣＩフィールドを介して選択されることがある。
【０１８３】
方法７）
【０１８４】
また、ＤＭＲＳ（ＯＦＤＭ）シンボルの数に応じて、ＰＲＢバンドルサイズの集合が変更されることができる。ここで、ＤＭＲＳシンボル数は、ＤＭＲＳがマッピングされるＯＦＤＭシンボルの数を意味する。このとき、ＤＭＲＳシンボルの数は、１、２、３、４など、多様に設定することができる。
【０１８５】
ＤＭＲＳシンボルの数が小さい場合、ＰＲＢバンドルサイズの集合は、小さなＰＲＢバンドルサイズで構成されることができる。ＤＭＲＳシンボルの数が大きいとＤＭＲＳ密度（DMRS density）が十分に大きくなるので、周波数軸におけるバンドルサイズを小さく構成して、基地局がプリコーディングを周波数軸において精巧に変更しながら、周波数選択利得（Frequency selective gain）を得ることができる。
【０１８６】
あるいは、これとは反対にＤＭＲＳシンボルの数が大きい場合、ＰＲＢバンドルサイズの集合は、大きいＰＲＢバンドルサイズで構成されることができる。
【０１８７】
このとき、集合内で定義される２つの値は、１ビットのＤＣＩフィールドを介して選択されることがある。
【０１８８】
方法８）
【０１８９】
また、ＤＭＲＳシーケンス（DMRS sequence ）のシード（seed）の値に基づいて、ＰＲＢバンドルサイズの集合が変更されることができる。例えば、ＰＲＢバンドルサイズの集合は、ＤＭＲＳのシードを構成するｎＳＣＩＤ（n SCrambling ID）又は仮想セル識別子（virtual cell ID）によって異なるように定義されることができる。このとき、ｎＳＣＩＤが０及び１の場合、それぞれについて、ＰＲＢバンドルサイズの集合は、｛２，４｝及び｛８，１６｝で構成されることができる。
【０１９０】
このとき、集合内で定義される２つの値は、１ビットのＤＣＩフィールドを介して選択されることがある。
【０１９１】
方法９）
【０１９２】
また、ＤＭＲＳ設定（DMRS configuration）に基づいて、ＰＲＢバンドルサイズの集合が変更されることもある。基地局は、上位層シグナリング（RRC signaling）を介して端末にＤＭＲＳの設定を知らせることができ、ＤＭＲＳ設定１及びＤＭＲＳ設定２のうちのいずれか１つを指示することができる。
【０１９３】
たとえば、ＤＭＲＳ設定１及びＤＭＲＳ設定２である場合、それぞれについて、ＰＲＢバンドルサイズの集合は、｛２，４｝及び｛８，１６｝で構成されることがある。ＤＭＲＳ設定１の場合、ＤＭＲＳの各ポートごとの周波数密度が高いため、小さなＰＲＢバンドルサイズで集合（セット）を構成し、ＤＭＲＳ設定２の場合、大きなＰＲＢバンドルサイズで集合を構成することが望ましいことがある。勿論、この逆の場合も可能である。
【０１９４】
さらに具体的な例として、ＤＭＲＳｃｏｎｆｉｇｕｒａｔｉｏｎ  Ｔｙｐｅ１又はＤＭＲＳ  ｃｏｎｆｉｇｕｒａｔｉｏｎ  Ｔｙｐｅ２に基づいて、バンドルサイズの集合が変更されることができる。Ｔｙｐｅ１の場合、ＤＭＲＳが２つのＲＥ（Resource Element）ごとに均一に配置されるので、比較的細かい間隔を維持する。反面、Ｔｙｐｅ２の場合、ＤＭＲＳが不均一に配置されており、３つのＲＥだけ離れたＤＭＲＳ ＲＥが存在する。したがって、Ｔｙｐｅ１が利用される場合、バンドルサイズの集合を小さなバンドルサイズ値に設定し、Ｔｙｐｅ２が利用される場合、バンドルサイズの集合を大きなバンドルサイズ値に設定することが望ましいことがある。
【０１９５】
このとき、集合内で定義される２つの値は、１ビットのＤＣＩフィールドを介して選択されることがある。
【０１９６】
方法１０）
【０１９７】
また、端末にＤＣＩを介して設定されるＤＭＲＳポートの数に応じて、ＰＲＢバンドルサイズの集合が変更されることもある。
【０１９８】
ＤＭＲＳポートの数は、ＳＵ（Single User）層の数と同じなので、ポートの数が増えるということは、層の数が多くなることを意味することができる。ＳＮＲ（Signal-To-Noise Ratio）が固定された場合、層の数の増加は、マルチパス（multi-path）が多くなることを意味することができる。また、マルチパスが増加するにつれて、チャネルの周波数選択性（frequency selectivity）が大きくなる可能性が大きい。チャネルの周波数選択性が大きい場合、ＰＲＢバンドルサイズを小さく設定して、周波数選択利得を得ることが望ましいことがある。
【０１９９】
したがって、端末に設定されたＤＭＲＳポートの数が多い場合、ＰＲＢバンドルサイズを小さく設定する方法が考慮されることができる。たとえば、ＤＭＲＳポートの数が２以下の場合、ＰＲＢバンドルサイズの集合は、｛１，２｝に設定され、ＤＭＲＳポートの数が３以上の場合、ＰＲＢバンドルサイズの集合は、｛２，４｝に設定されることができる。
【０２００】
方法１１）
【０２０１】
また、時間軸においてＰＲＢバンドリング（すなわち、ＤＭＲＳバンドリング）を実行する場合、時間軸バンドルサイズに応じて周波数軸バンドルサイズの集合が変更されることもある。時間軸バンドルサイズが大きい場合に１つのＲＢ当たりの同じチャネルを示すＤＭＲＳ密度が増えるので、周波数軸バンドルサイズを小さく設定してスケジューリングの柔軟性（scheduling flexibility）を高めることができる。
【０２０２】
たとえば、時間軸バンドルサイズが１つのスロット（slot）、２つのスロット、３つのスロットである場合、それぞれについて、周波数軸バンドルサイズの集合は、｛８，１６｝、｛２，４｝、｛１，２｝に設定することができる。
【０２０３】
前述した方法のうちのいずれか１つの方法を介してＰＲＢバンドルサイズの集合が決定され、当該集合内でＰＲＢバンドルサイズがＤＣＩを介して指示されることができる。さらに、ＤＣＩオーバーヘッド（DCI overhead）をさらに減少させるために、前述の方式を介してバンドルサイズの集合を決定するのではなく、バンドルサイズが一つの値に直接決定されることもある。これと関連する一部の内容は、以下、第２実施形態の説明の部分でさらに具体的に説明する。
【０２０４】
また、前述した方法のうちの二つ以上の方法を通じて、バンドルサイズの集合又はバンドルサイズが決定されることもある。たとえば、時間領域上のバンドルサイズ（例えば、前述した方法１１）と活性化されたＢＷＰのサイズ（例えば、前述した方法３）との組み合わせで、バンドルサイズの集合又はバンドルサイズが決定されることができる。
【０２０５】
前述した方法においては、バンドルサイズを指示するために、（１ビットの）ＤＣＩを介したバンドルサイズ指示子を利用する場合が仮定される。このとき、当該ＤＣＩは、次のような方式で設計されることもある。
【０２０６】
まず、一つの状態（state）（すなわち、ＤＣＩによって指示される第１状態）は、「ＰＲＧ＝ＲＢＧ」と定義され、残りの状態は、「ＰＲＧ＝ｋ＊ＲＢＧ」として定義されることがある。ここで、ｋは、基地局によって上位層シグナリング（例えば、ＲＲＣ層シグナリング、ＭＡＣ層シグナリング）を介して設定されたり、特定の値に予め（既-）定義される（pre-defined）ことができる。
【０２０７】
ｋは、１より大きい整数で設定されることができ、この場合、ＰＲＢバンドルサイズがリソース割り当ての最小単位の倍数に成り得る。このとき、割り当てられたリソースのうち、ＲＢＧ単位で周波数軸上において連接されるリソースについて、ｋ個のＲＢＧを束ねてバンドリングが適用されることができる。たとえば、ｋが２であり、ＲＢＧは、２つのＲＢであり（すなわち、ＰＲＧ＝４つのＲＢ）、割り当てられたリソースが｛ＲＢ１，ＲＢ２，ＲＢ３，ＲＢ４，ＲＢ７，ＲＢ８｝の場合、｛ＲＢ１，ＲＢ２，ＲＢ３，ＲＢ４｝に対してバンドリングが適用され、｛ＲＢ７，ＲＢ８｝に対してバンドリングが適用されることができる。ただし、この場合、ＰＲＧは、４であるが、実際のバンドルサイズは、４つのＲＢ及び２つのＲＢの二つで構成されるので、受信端（receiving stage）は、二つのバンドルサイズのチャネル推定器を実現及び動作させる必要がある。
【０２０８】
また、ｋは、１／（ＲＢＧサイズの約数）で設定されることができ、この場合、ＲＢＧは、ＰＲＢバンドルのサイズの倍数で設定することができる。すなわち、１つのＲＢＧは、一つ又は複数のＰＲＧで構成されることができる。たとえば、ｋが１／２であり、ＲＢＧは、４つのＲＢ（すなわち、ＰＲＧ＝２つのＲＢ）であり、割り当てられたリソースが｛ＲＢ１，ＲＢ２，ＲＢ３，ＲＢ４，ＲＢ７，ＲＢ８，ＲＢ９，ＲＢ１０｝である場合には、｛ＲＢ１，ＲＢ２｝、｛ＲＢ３，ＲＢ４｝、｛ＲＢ７，ＲＢ８｝、｛ＲＢ９，ＲＢ１０｝のそれぞれについて、バンドリングが適用されることができる。この場合、実際のバンドルサイズは、常にＰＲＧと同じなので、受信段（receiving stage）は、一つのバンドルサイズのチャネル推定器を実装して動作させる必要がある。
【０２０９】
次に、１つの状態は、「ＰＲＧ＝ｋ＊ＲＢＧ」として定義され、残りの状態は、「ＰＲＧ＝１つのＰＲＢ」として定義することもできる。ここで、ｋは、基地局によって上位層シグナリング（例えば、ＲＲＣ層シグナリング、ＭＡＣ層シグナリング）を介して設定されたり、特定の値に予め定義されることができる。
【０２１０】
このとき、「ＰＲＧ＝１ＰＲＢ」は、オープンループ（open loop）（又はセミオープンループ（semi-open loop））ＭＩＭＯ伝送のために、プリコーディング循環（巡回）（precoding cycling）を１つのＰＲＢ単位で実行するための設定を意味することができる。ここで、プリコーディング循環は、プリコーダ（precoder）を変更しながらプリコーディングを順次行う（進行する）（performing）動作を意味することができる。
【０２１１】
あるいは、オープン（開）ループ（又はセミオープン（半-開）ループ）ＭＩＭＯ伝送技法が基地局から設定された場合には、上記ＰＲＧサイズは無視され、端末は、「ＰＲＧ＝１つのＰＲＢ」を仮定することがある。
【０２１２】
前述した方式を通じて、バンドルサイズ（すなわち、ＰＲＢバンドルサイズ）の集合が設定又は決定されることができ、集合に属する特定のバンドルサイズは、ＤＣＩを介して指示することができる。
【０２１３】
第２実施形態
【０２１４】
前述した方法とは異なり、ＰＲＢバンドルサイズ（すなわち、ＤＭＲＳバンドルサイズ）が、ＤＭＲＳ関連パラメータ及び／又は特定のパラメータによって直接決定されることもできる。この場合、ＤＣＩによる指示が行われないので、ＤＣＩオーバーヘッドが減少することができる効果がある。本実施形態において、これに関連する方法に関して具体的に注意深く見る。
【０２１５】
以下で説明される方法は、説明の便宜のために区分されただけで、いずれかの方法の一部の構成や特徴は、他の方法に含まれることができ、又は他の方法の対応する構成若しくは特徴と置き換えることができる。
【０２１６】
方法１）
【０２１７】
ＤＭＲＳ（ＯＦＤＭ）シンボルの数に応じて、ＰＲＢバンドルサイズが変更（又は設定）されることができる。ここで、ＤＭＲＳシンボル数は、ＤＭＲＳがマッピングされるＯＦＤＭシンボルの数を意味する。このとき、ＤＭＲＳシンボルの数は、１、２、３、４など多様に設定することができる。
【０２１８】
ＤＭＲＳシンボルの数が小さい場合、ＰＲＢバンドルサイズは、小さい値に設定することができる。ＤＭＲＳシンボルの数が大きいとＤＭＲＳ密度（DMRS density）が十分に大きくなるので、周波数軸におけるバンドルサイズを小さく構成して、基地局がプリコーディングを周波数軸において精巧に変更しながら、周波数選択利得（Frequency selective gain）を得ることができる。
【０２１９】
あるいは、これとは反対にＤＭＲＳシンボルの数が大きい場合、ＰＲＢバンドルサイズは、大きい値で構成されることができる。
【０２２０】
方法２）
【０２２１】
また、ＤＭＲＳシーケンス（DMRS sequence）のシード（seed）の値に基づいて、ＰＲＢバンドルサイズが変更（又は設定）されることができる。例えば、ＰＲＢバンドルサイズの集合は、ＤＭＲＳのシードを構成するｎＳＣＩＤ（n SCrambling ID）又は仮想セル識別子（virtual cell ID）によって異なるように定義されることができる。このとき、ｎＳＣＩＤが００及び１の場合のそれぞれについて、ＰＲＢバンドルサイズは、２及び４で構成されることができる。
【０２２２】
方法３）
【０２２３】
また、ＤＭＲＳ設定（DMRS configuration）に基づいて、ＰＲＢバンドルサイズが変更（又は設定）されることもできる。基地局は、上位層シグナリング（RRC signaling）を介して端末にＤＭＲＳの設定を知らせることができ、ＤＭＲＳ設定１及びＤＭＲＳ設定２のうちのいずれか１つを指示することができる。
【０２２４】
たとえば、ＤＭＲＳ設定１及びＤＭＲＳ設定２である場合のそれぞれについて、ＰＲＢバンドルサイズは、２及び４で構成されることができる。ＤＭＲＳ設定１の場合、ＤＭＲＳの各ポートごとの周波数密度が高いため、小さなＰＲＢバンドルサイズを構成し、ＤＭＲＳ設定２の場合、大きなＰＲＢバンドルサイズを構成することが望ましいことがある。勿論、この逆の場合も可能である。
【０２２５】
さらに具体的な例として、ＤＭＲＳ  ｃｏｎｆｉｇｕｒａｔｉｏｎ  Ｔｙｐｅ１又はＤＭＲＳ  ｃｏｎｆｉｇｕｒａｔｉｏｎ  Ｔｙｐｅ２に基づいて、バンドルサイズが変更されることができる。Ｔｙｐｅ１の場合には、ＤＭＲＳが２つのＲＥ（Resource Element）ごとに均一に配置されるので、比較的細かい間隔を維持する。一方、Ｔｙｐｅ２の場合には、ＤＭＲＳが不均一に配置されており、３つのＲＥだけ離れたＤＭＲＳ ＲＥが存在する。したがって、Ｔｙｐｅ１が利用される場合、バンドルのサイズを小さく設定し、Ｔｙｐｅ２が利用される場合、バンドルのサイズを大きく設定することが望ましいことがある。
【０２２６】
前述した方法以外にも、前述した第１実施形態における場合と同様に、システム帯域幅、部分帯域幅（partial bandwidth）、ＲＢＧサイズ、サブバンドサイズ、実際に端末にデータを伝送するために割り当てられたリソースのサイズ、端末固有の広帯域、及び／又は活性化されたＢＷＰのサイズに応じて、ＰＲＢバンドルサイズが決定されることもある。一例として、これらに対応する値が特定の範囲（例えば、範囲ｉ（range i））内に存在する場合、バンドルのサイズは、ｘｉの値であると決定されるように設定することができる。ここで、ｘｉは、バンドルサイズの集合（例えば、｛１，２，４，８，１６｝）内に存在する特定の１つの値で定義することができる。
【０２２７】
第３実施形態
【０２２８】
また、ＰＲＢバンドリングに関連して、先に述べたように、第１方式及び第２方式が適用されることができる。すなわち、ＰＲＢバンドルサイズの値は、予め設定された値（例えば、１、２、４、８、１６など）の中から特定の値が選択される方式（第１方式）及び／又は当該端末に割り当てられた特定の周波数帯域（例えば、当該端末に対し連続してスケジューリングされた帯域幅やＰＲＢと同じ値）に設定される方式（第２方式）に応じて設定されることができる。
【０２２９】
このとき、前述した第１方式又は第２方式の選択及び適用は、次のような方法に基づいて（暗黙的に（implicitly））決定されることができる。以下で説明される方法は、説明の便宜のために区分されただけであり、いずれかの方法の一部の構成や特徴は、他の方法に含まれることができ、又は他の方法の対応する構成若しくは特徴と置き換えることができる。
【０２３０】
方法１）
【０２３１】
まず、システム帯域幅、部分帯域幅（partial bandwidth）、ＲＢＧサイズ、サブバンドサイズ、実際の端末にデータを伝送するために割り当てられたリソースのサイズ、端末の特定の広帯域、及び／又は活性化されたＢＷＰのサイズに応じて、第１方式又は第２方式が決定されることができる。
【０２３２】
たとえば、これに対応する値が特定のしきい値を超える場合、第２方式が適用され、そうでない場合、第１方式が適用されるように設定されることができる。
【０２３３】
方法２）
【０２３４】
あるいは、利用（活用）シナリオ（ユースケース）（use scenario、use case）又は通信環境に応じて、第１方式又は第２方式が決定されることもある。ｍｍＷａｖｅ又は屋内（indoor）環境においては、チャネル選択性が大きくない環境がサポートされる可能性が十分であるので、第２方式を適用することが望ましいこともある。
【０２３５】
したがって、ｍｍＷａｖｅ又は室内環境が設定される場合、ＰＲＢバンドリング動作は、第２方式に基づいて動作し、残りの環境では、第１方式を適用するように設定することができる。あるいは、残りの環境の場合、上位層シグナリング（例えば、ＲＲＣ層シグナリング、ＭＡＣ層シグナリング）を介して、第１方式と第２方式とを選択的に適用するように設定することもできる。
【０２３６】
方法３）
【０２３７】
あるいは、端末に割り当てられたリソースの中で周波数軸に隣接する連続した（contiguous）リソースのサイズに応じて、前述した第１方式又は第２方式を選択して、ＰＲＢバンドリングに適用するように設定する方法も考慮されることができる。すなわち、端末に周波数軸上で連続するリソース（例えば、連続する（contiguous）ＰＲＢ）が割り当てられる場合、当該連続するリソースのサイズに応じて、前述した第１方式又は第２方式が選択されることができる。
【０２３８】
例えば、端末に割り当てられた連続するリソースのサイズが「Ｎ」以上である場合、当該リソースに対して前述した第２方式を利用して、ＰＲＢバンドルサイズが決定され、そうでないリソース（すなわち、連続するリソースのサイズが‘Ｎ’未満のリソース）については、前述した第１方式を利用して、ＰＲＢバンドルサイズが決定されることができる。ここで、「Ｎ」は、予め定義されていたり、基地局によって上位層シグナリング（例えば、ＲＲＣ層シグナリング）又は物理層シグナリングによって（予め）設定されることもできる。
【０２３９】
すなわち、端末に連続して割り当てられたリソースのサイズが予め設定された値より大きい場合、ダウンリンクチャネルのバンドルサイズは、端末に割り当てられた周波数リソース領域のサイズに設定されることができる。これとは異なり、端末に連続して割り当てられたリソースのサイズが予め設定された値より小さい場合、バンドルのサイズは、特定の数のＰＲＢを示す値に設定されることができる。このとき、特定の数のＰＲＢを示す値は、前述した方法に応じて、予め設定されたバンドルサイズの集合に含まれる値であり得る。
【０２４０】
さらに具体的な一例として、端末に割り当てられたリソースの中で、連続するリソースのサイズが「Ｎ」以上である場合、第２方式が適用され、残りの割り当てられたリソースについては、第１方式が適用されることもある。
【０２４１】
このとき、ＤＣＩを介して第１方式のバンドルサイズが指示されるか、特定の規則によってバンドルサイズが決定される場合であるとしても、連続するリソースのサイズが「Ｎ」以上である場合（すなわち、‘Ｎ’以上のサイズを有するリソースについて）、例外的に第２方式が適用されることもある。たとえば、「Ｎ」が４であり、第１方式のバンドルサイズが２であり、端末に割り当てられたリソースが｛ＲＢ１，ＲＢ２，ＲＢ３，ＲＢ６，ＲＢ７，ＲＢ８，ＲＢ９｝である場合、｛ＲＢ１，ＲＢ２，ＲＢ３｝には、第１方式を適用して（すなわち、バンドルサイズ＝２）｛ＲＢ１，ＲＢ２｝がバンドリングされ、｛ＲＢ３｝がバンドリングされることができる。この場合、当該端末は、｛ＲＢ６，ＲＢ７，ＲＢ８，ＲＢ９｝に対しては、第２方式を適用して、全体をバンドリングするように仮定することができる。
【０２４２】
方法４）
【０２４３】
あるいは、端末に割り当てられたリソースの中で、連続するリソースのサイズがＮ以上である場合、当該端末は、自体に割り当てられたすべての割り当てリソースに第２方式を適用して、各連続するリソースグループごとに、そのリソースがバンドリングされると仮定することができる。たとえば、割り当てリソースが｛ＲＢ１，ＲＢ２，ＲＢ３，ＲＢ６，ＲＢ７，ＲＢ８，ＲＢ９｝である場合、｛ＲＢ１，ＲＢ２，ＲＢ３｝（すなわち、連続する割り当てリソースグループ１）についてバンドリングを仮定し、｛ＲＢ６，ＲＢ７，ＲＢ８，ＲＢ９｝（すなわち、連続する割り当てリソースグループ２）についてバンドリングを仮定することができる。
【０２４４】
第４実施形態
【０２４５】
また、ＰＲＢバンドリングの運用方式は、リソースの割り当てタイプ（resource allocation type）に応じて設定（又は決定）されることもできる。
【０２４６】
ちなみに、従来のＬＴＥシステムの場合、ｒｅｓｏｕｒｃｅ  ａｌｌｏｃａｔｉｏｎ  Ｔｙｐｅ０（以下Ｔｙｐｅ０）、ｒｅｓｏｕｒｃｅ  ａｌｌｏｃａｔｉｏｎ  Ｔｙｐｅ１（以下、Ｔｙｐｅ１）、及び／又はｒｅｓｏｕｒｃｅ  ａｌｌｏｃａｔｉｏｎ  Ｔｙｐｅ２（以下Ｔｙｐｅ２）が定義されることができる。ここで、Ｔｙｐｅ０は、ＰＲＧ単位でリソースが割り当てられる方式を意味することができる。また、Ｔｙｐｅ１は、全体の割り当て可能なリソースの中で、連続するＰＲＧで構成されたサブセット（subset）においてＰＲＢ単位でリソースが割り当てられる方式を意味することができる。また、Ｔｙｐｅ２は、リソースの割り当てが開始されるＲＢと割り当てられたＲＢの数とを知らせることで、連続したＲＢをスケジューリングする方法を意味することができる。
【０２４７】
特に、Ｔｙｐｅ２は、ローカライズ（localized）された方式及び分散された（distributed）方式を含むことができる。このとき、分散された方式の場合、論理ＲＢ（Logical）は、インターリーバ（イントリボ）（interleaver）を介して物理ＲＢ（physical RB）にマッピングされ、実際に割り当てられたＲＢは、広い周波数帯域に均等に広がって配置されることができる。
【０２４８】
ＮＲシステムにおいては、ＣＰ（Cyclic Prefix）ＯＦＤＭベースのダウンリンク（ＤＬ）／アップリンク（ＵＬ）においては、Ｔｙｐｅ０及びＴｙｐｅ２の方式をサポートすることが考慮され、ＤＦＴ−ｓ（Discrete Fourier Transform-spread）ＯＦＤＭベースのアップリンクでは、Ｔｙｐｅ２のローカライズされた方式をサポートすることが考慮されている。
【０２４９】
Ｔｙｐｅ０においては、リソースの割り当てがＲＢＧ単位で行われるので、バンドリング単位（すなわち、前述したＰＲＧ）もこれと同様にＲＢＧ単位で固定して運用する方式が、考慮されることができる。
【０２５０】
あるいは、バンドリング単位をＲＢＧ単位の倍数に設定し、倍数（排水）の値（multiple value）を、基地局が端末に設定することもある。
【０２５１】
あるいは、ＲＢＧ単位が「Ｎ」（個の）ＲＢ以下である場合には、ＲＢＧとバンドリング単位とを同じに設定するが、そうでない場合には、「ＰＲＧ＝ＲＢＧ／ｋ」に設定することができる。ここで、ｋは、ＲＢＧの約数として基地局が設定したり、予め定義された値に固定されることができる。これは、ＲＢＧ単位が大きい場合には、ＰＲＧをＲＢＧと同じように設定すると、プリコーディングスケジューリングの制約が大きくなり、周波数選択性が大きい環境で性能劣化が発生し、端末のチャネル推定が多くのＲＢを対象に同時に実行されるため、実現の複雑度が増加することができるからである。
【０２５２】
あるいは、ＲＢＧ単位がバンドリング単位の倍数に設定されるように、バンドリング単位を設定し、基地局が、当該倍数の値を端末に設定して与えることができる。
【０２５３】
Ｔｙｐｅ１では、リソースの割り当てがＲＢ単位で行われ、リソースの割り当て可能なＰＲＧが分散されていることがある。したがって、ＰＲＧは、ＲＢＧの倍数である必要がなく、「ＰＲＧ＝ＲＢＧ」に固定されるか、リソースの割り当て単位と同じになるよう「ＰＲＧ＝１つのＲＢ」と定義されることもできる。
【０２５４】
Ｔｙｐｅ２のローカライズされた方式においては、バンドルサイズの設定と関連して前述した第２方式だけを利用するように制限することができる。Ｔｙｐｅ２のローカライズされた方式の場合は、連続したＲＢが割り当てられるため、リソースの割り当て単位と同じようにバンドルサイズを連続するＲＢ全体で設定（すなわち、前述した第２方式）することが望ましいことがある。ただし、当該方式の場合、Ｔｙｐｅ２のローカライズされた方式でも周波数選択利得を得られない欠点が有り得る。
【０２５５】
したがって、Ｔｙｐｅ２のローカライズされた方式では、前述した第１方式と第２方式とを選択的に利用することができ、残りのＴｙｐｅでは、前述した第１方式だけ使用するように設定することもできる。
【０２５６】
これとは異なり、Ｔｙｐｅ２の分散された方式では、不連続の（non-contiguous）１つのＲＢ単位でリソースが割り当てられるため、１つのＲＢ単位でバンドルサイズを設定することが望ましいことがある。
【０２５７】
第５実施形態
【０２５８】
ブロードキャスト（BroadCast、ＢＣ）される情報（例えば、ＳＩＢ（System Information Block）、ＲＡＲ、（Random Access Response）、ページング情報など）を伝達するダウンリンク共有チャネル（例えば、ＰＤＳＣＨ）（以下、ＢＣダウンリンク共有チャネル）の場合、複数の端末がこれを介してデータを同時に受信することができる。したがって、ＢＣダウンリンク共有チャネルのＰＲＢバンドリングに関する情報は、一般的なユニキャスト（unicast）ダウンリンク共有チャネルとは別の方法で伝達（又は設定）する必要がある。
【０２５９】
前述した他の実施形態においては、一般的なデータ（又はブロードキャストされないデータ）の伝達のためのダウンリンク共有チャネルのＰＲＢバンドリング設定及び指示方式が説明された。これとは異なり、本実施形態においては、ブロードキャストされるデータの伝達のためのＢＣダウンリンク共有チャネルのＰＲＢバンドリング設定及び指示する方法について具体的に注意深く見る。
【０２６０】
一般的に、ブロードキャストチャネル（例えば、ＰＢＣＨ（Physical Broadcast CHannel））を介して伝達されるＭＩＢ（Master Information Block）は、セル内のすべての端末が受信する制御情報を含んでいるので、ＭＩＢを介してＰＲＢバンドリング方式（すなわち、前述した第１方式又は第２方式）を指定するか、ＰＲＢバンドルサイズを指示する方法が考慮されることができる。ＭＩＢは、強いチャネルコーディング（channel coding）が適用されるので、バンドリング情報の受信確率が高いことがある。ただし、ＭＩＢは、周期的に伝送されるため、動的に（dynamically）バンドリング情報を変更することが難しいことがある。あるいは、ＢＣダウンリンク共有チャネルをデコードするための情報を含む共通ＤＣＩ（common DCI）に、このような情報が指示されることもある。あるいは、ＳＩＢ情報を伝達するＢＣダウンリンク共有チャネルの場合には、提案する方式でバンドリング情報が伝達され、残りのＢＣダウンリンク共有チャネルのためのバンドリング情報は、ＳＩＢから指示されるように設定することもできる。
【０２６１】
このとき、前述したＰＲＢバンドリングに関する第１方式及び第２方式は、ユニキャスト環境においては、スケジューリングの柔軟性（scheduling flexibility）を提供するが、ブロードキャスト環境については、二つの方法のうちの１つのみを利用しても十分であり得る。このような方法を介して制御情報の量が減少することができる。
【０２６２】
したがって、ＢＣダウンリンク共有チャネルのバンドリング方式は、二つの方式のうちのいずれか１つ（すなわち、第１方式又は第２方式）で固定されるように設定することができる。あるいは、別のシグナリングが実行される以前は、ＢＣダウンリンク共有チャネルに対しては、デフォルト（default）で第１方式又は第２方式を仮定するように設定することもできる。
【０２６３】
ブロードキャストの特性上、複数の端末が共通でデータを受信するが、このとき、各端末のチャネル状況（特に、周波数選択性）が異なることがある。例えば、ＬｏＳ（Line-of-Sight）端末は、低い周波数選択性を有することができる。
【０２６４】
ユニキャストの場合、このような各端末のチャネル状況に合わせてバンドルサイズを最適化させるために動的な指示方式が利用されることができる。しかしながら、ブロードキャストの場合、各端末のチャネル状況に最適化されるようにバンドルサイズを設定することは難しいことがある。したがって、ブロードキャストの場合についてバンドルサイズ（すなわち、ＲＰＢバンドルサイズ）を特定の値に固定する方法が考慮されることができる。すなわち、ＢＣダウンリンク共有チャネルのバンドルサイズが特定の値に予め定義されることができる。これにより、制御情報のオーバーヘッドが減少することができる効果がある。
【０２６５】
ＢＣダウンリンク共有チャネルのバンドルサイズを特定の値に定義することは、次のような方法のうちのいずれか（又はそれらの結合（組み合わせ））に基づいて実行されることができる。以下で説明される方法は、説明の便宜のために区分されただけであり、いずれかの方法の一部の構成や特徴は、他の方法に含まれることができ、又は他の方法の対応する構成若しくは特徴と置き換えることができる。
【０２６６】
方法１）
【０２６７】
まず、ＢＣダウンリンク共有チャネルの場合、大多数の端末がデコードを実行することと、複数の端末に高い信頼度（reliability）で受信されなけれならない点を考慮すると、特定の値に固定されるバンドルのサイズは、小さく設定されること望ましいことができる。例えば、ＢＣダウンリンク共有チャネルのためのバンドルのサイズは、２（又は１）などの小さな値に設定されることができる。
【０２６８】
バンドルサイズが小さい場合、小さなＲＢ単位でプリコーダを変更して、空間ダイバーシチ（spatial diversity）を得ることができるので、信頼度が向上することができる。また、ＢＣダウンリンク共有チャネル上でＤＭＲＳ  ｃｏｎｆｉｇｕｒａｔｉｏｎ  Ｔｙｐｅ１だけが用いられる場合、ＤＭＲＳ ＲＥが周波数軸に密集して配置されるので、バンドリングによる利得は大きくないこともある。また、ＢＣダウンリンク共有チャネルの変調多値数（変調次数）（modulation order）がＱＰＳＫ（Quadrature Phase Shift Keying）などの低変調多値数に設定されることができるので、チャネル推定精度の向上に起因するデコード成功の回数の増加（an increase in the successful number of decoding attributable to improved channel estimation accuracy）が大きくないこともある。
【０２６９】
方法２）
【０２７０】
これとは異なり、チャネル推定の性能を高めるために、ＢＣダウンリンク共有チャネルのバンドルサイズが大きい値（例えば、４）に固定されることができる。バンドルサイズが大きいほど、チャネル推定に活用されるＤＭＲＳ ＲＥの数が増加するので、チャネル推定の精度が高くなることができる。したがって、当該方法の場合、ＢＣダウンリンク共有チャネルのチャネル推定を安定的に行うことができ、正確なチャネル推定に基づいて、デコード成功確率を高めることができるという長所がある。
【０２７１】
方法３）
【０２７２】
あるいは、特定の環境又はヌメロロジ（numerology）に基づいてＢＣダウンリンク共有チャネルバンドルサイズが決定されるように、基地局と端末とが予め約束（又は定義）される（agreed）こともできる。例えば、屋内スモールセル（indoor small cell）又は６ＧＨｚ以上のキャリア周波数（carrier frequency）を利用する環境では、ＬｏＳ（Line-of-Sight）が強く、離散（散布）（scatter）の影響が少ないため、周波数選択性が低いことができる。周波数選択性が低い環境では、バンドルのサイズを増加させてもバンドリングによる利得が小さいので、バンドルのサイズを小さい値に設定して、空間ダイバーシチ利得を得ることが効率的であり得る。また、フロントロードＤＭＲＳ（front-load DMRS）及び／又は追加のＤＭＲＳを用いて、１つのスロット内で多重時間領域上のバンドリング（multiple time domain bundling）が実行されることもある。
【０２７３】
したがって、このような環境では、バンドルのサイズを小さい値に固定し、これ以外の他の環境では、バンドルのサイズを大きな値に固定する方法も考慮することができる。
【０２７４】
方法４）
【０２７５】
あるいは、システム帯域幅に応じてＢＣダウンリンク共有チャネルのバンドルサイズが決定されるように、基地局と端末とが約束（又は定義）されることもできる。すなわち、システム帯域幅が大きいほどバンドルサイズが大きく設定されることができる。このとき、システム帯域幅及びヌメロロジの両方を考慮して、バンドルのサイズを決定する方法が考慮されることもある。
【０２７６】
例えば、６ＧＨｚ以上では、バンドルサイズを小さい値に固定して、そうでない場合、システム帯域幅に応じてバンドルサイズが決定されるように設定することができる。
【０２７７】
前述した方法を通じて、ＢＣダウンリンク共有チャネルのバンドルサイズ（ＰＲＢバンドルサイズ）が特定の値に予め定義又は設定されることがある。
【０２７８】
また、本発明の様々な実施形態において、ユニキャストダウンリンク共有チャネルのバンドルサイズに関連して、ＲＭＳＩ（Remaining Minimum System Information）を介して、セル固有（−特定）（cell specific）デフォルトバンドルサイズ、バンドルサイズの候補（candidates）、又はバンドリング方式（例えば、前述した第１方式及び／又は第２方式）が指示されることができる。この後、端末固有（−特定）（UE-specific）シグナリングによってバンドルサイズ又はＴｙｐｅを更新したり、バンドルサイズの候補のうちのいずれか１つを選択するシグナリングを実行する方法も考慮することができる。
【０２７９】
また、本発明の様々な実施形態において、高速シナリオ（high speed scenario）の場合（特に、小さなリソースの割り当てが行われる場合）、ＰＲＧを１に設定することにより、プリコーダ循環によるダイバーシチ利得を提供することができる。また、ダウンリンク（ＤＬ）／アップリンク（ＵＬ）チャネル相互関係（channel reciprocity）を有するＴＤＤシステムにおいて、これは、単一のＰＲＢ粒度（PRB granularity）を有する周波数選択スケジューリング（Frequency selective scheduling）をサポートすることができる。
【０２８０】
また、本発明の様々な実施形態において、前述した第１方式と第２方式との間の動的な切り替え（dynamic switching）のために、１ビットのＤＣＩフィールドが利用されることができる。このとき、第１方式の場合、ＰＲＧは、ＲＢＧに基づいて決定されることができる。この場合、ＤＣＩペイロード（DCI payload）及びスケジューリングの柔軟性を考慮すると、少なくともＲＢＧは、｛１，２，４｝がサポートされる必要が有り得る。したがって、１ビットのＤＣＩフィールドによって、第１方式が設定される場合、ＰＲＧとＲＢＧとは同じように決定されることができる。例えば、ＲＢＧが８又は１６のように４より大きい場合、ＰＲＧは、最大値（すなわち、４）で決定されることができる。
【０２８１】
ただし、第１方式でＰＲＧの候補値として｛１｝が排除され、｛２，４｝のみがサポートされる場合、上記の例は、以下のように変更されることができる。例えば、ＲＢＧが｛２，４｝である場合、ＰＲＧは、ＲＢＧと同じあり、ＲＢＧが｛８，１６｝の場合、ＰＲＧは、４であり、ＲＢＧが｛１｝である場合、ＰＲＧは、２であり得る。すなわち、ＲＢＧのサイズと同じＰＲＧが存在する場合、ＰＲＧは、ＲＢＧと同じように設定され、ＰＲＧの最大値よりＲＢＧが大きい場合、ＰＲＧの最大値にＰＲＧが設定され、ＰＲＧの最小値よりＲＢＧが小さい場合、ＰＲＧの最小値にＰＲＧが設定されることができる。
【０２８２】
図６は、本明細書で提案する方法が適用されることができる無線通信システムにおいてデータを送受信する端末の動作のフローチャートを示す。図６は、単に説明の便宜のためのもので、本発明の範囲を制限するものではない。
【０２８３】
図６を参考にすれば、当該端末及び基地局は、前述した本明細書の実施形態で説明された方法を実行することができる。特に、当該端末及び基地局は、第１実施形態、第３実施形態及び第５実施形態で説明した方法をサポートすることができる。図６では、これに関連して前述した内容と重複する具体的な説明は省略する。
【０２８４】
まず、端末は、基地局からダウンリンク制御情報（ＤＣＩ）を受信することができる（Ｓ６０５段階）。
【０２８５】
この後、受信したダウンリンク制御情報に基づいて設定されたダウンリンク共有チャネルを介し、基地局からのダウンリンクデータを受信することができる。
【０２８６】
このとき、ダウンリンクデータがブロードキャストされる場合、ダウンリンク共有チャネルのバンドルサイズ（bundling size）は、予め定義された値（pre-defined value）（例えば、２つのＰＲＢ）に設定されることができる。
【０２８７】
これとは異なり、ダウンリンクデータがブロードキャストされない場合、ダウンリンク共有チャネルのバンドルサイズは、特定の数の物理リソースブロック又は端末に割り当てられた周波数リソース領域のサイズに設定されることができる。ここで、特定の数の物理リソースブロックを示す値は、ダウンリンク共有チャネルのために、予め設定されたバンドルサイズの集合（bundling size set）に含まれることができる。このとき、周波数リソース領域のサイズが端末に予め設定された値（例えば、第３実施形態の方法３におけるＮ値）よりも大きい場合に、ダウンリンク共有チャネルのバンドルサイズは、周波数リソース領域のサイズに設定されることができる。この場合、端末に割り当てられた周波数リソース領域は、周波数軸において連続するＰＲＢに設定されることができる。
【０２８８】
本発明が適用されることができる装置一般
【０２８９】
図７は、本発明の一実施形態に係る無線通信装置のブロック構成図を例示する。
【０２９０】
図７を参照すると、無線通信システムは、基地局（又はネットワーク）７１０及び端末７２０を含む。
【０２９１】
基地局７１０は、プロセッサ（Processor）７１１、メモリ（Memory）７１２）及び通信モジュール（Communication Module）７１３を含む。
【０２９２】
プロセッサ７１１は、先の図１〜図６で提案された機能、プロセス及び／又は方法を実現する。有線／無線インターフェースプロトコルの階層は、プロセッサ７１１によって実現されることができる。メモリ７１２は、プロセッサ７１１と接続されて、プロセッサ７１１を駆動するための様々な情報を記憶（貯蔵）する（stores）。通信モジュール７１３は、プロセッサ７１１と接続されて、有／無線信号を送信及び／又は受信する。
【０２９３】
上記通信モジュール７１３は、無線信号を送信／受信するためのＲＦ部（radio Frequency unit）を含むことができる。
【０２９４】
端末７２０は、プロセッサ７２１、メモリ７２２及び通信モジュール（又はＲＦ部）７２３を含む。プロセッサ７２１は、先の図１〜図６で提案された機能、プロセス及び／又は方法を実現する。無線インターフェースプロトコルの階層は、プロセッサ７２１によって実現されることができる。メモリ７２２は、プロセッサ７２１と接続されて、プロセッサ７２１を駆動するための様々な情報を記憶する。通信モジュール７２３は、プロセッサ７２１と接続されて、無線信号を送信及び／又は受信する。
【０２９５】
メモリ（７１２、７２２）は、プロセッサ（７１１、７２１）の内部又は外部にあることができ、よく知られている様々な手段でプロセッサ（７１１、７２１）と接続されることができる。
【０２９６】
また、基地局７１０及び／又は端末７２０は、一本のアンテナ（single antenna）、又は複数の（多重）アンテナ（multiple antennas）を有することができる。
【０２９７】
図８は、本発明の一実施形態に係る通信装置のブロック構成図を例示する。
【０２９８】
特に、図８は、先の図７の端末をさらに詳細に例示する図である。
【０２９９】
図８を参照すると、端末は、プロセッサ（又はデジタル信号プロセッサ（ＤＳＰ：Digital Signal Processor））８１０、ＲＦモジュール（RF module）（又はＲＦユニット）８３５、電力（パワー）管理モジュール（power management module）８０５、アンテナ（antenna）８４０、バッテリ（battery）８５５、ディスプレイ（display）８１５、キーパッド（keypad）８２０、メモリ（memory）８３０、ＳＩＭカード（SIM (Subscriber Identification Module） card）８２５（この構成は、オプションである）、スピーカ（speaker）８４５及びマイク（microphone）８５０を含んで構成されることができる。端末は、また、単一のアンテナ又は複数（多重）のアンテナ（multiple antennas）を含むことができる。
【０３００】
プロセッサ８１０は、先の図１〜図６で提案された機能、プロセス及び／又は方法を実現する。無線インターフェースプロトコルの階層は、プロセッサ８１０によって実現されることができる。
【０３０１】
メモリ８３０は、プロセッサ８１０と接続され、プロセッサ８１０の動作と関連する情報を記憶する。メモリ８３０は、プロセッサ８１０の内部又は外部にあることができ、よく知られている様々な手段でプロセッサ８１０と接続されることができる。
【０３０２】
ユーザは、例えば、キーパッド８２０のボタンを押すか（若しくは、タッチするか）、又はマイクロホン８５０を利用した音声駆動（voice activation）によって電話番号などのコマンド情報を入力する。プロセッサ８１０は、このようなコマンドの情報を受信し、電話番号に電話をかけるなど、適切な機能を実行するように処理する。駆動上のデータ（operational data）は、ＳＩＭカード８２５又はメモリ８３０から抽出することができる。また、プロセッサ８１０は、（ユーザが認知し、）また利便性のために、コマンド情報又は駆動情報を認知したりディスプレイ８１５上に表示することができる。
【０３０３】
ＲＦモジュール８３５は、プロセッサ８１０に接続されて、ＲＦ信号を送信及び／又は受信する。プロセッサ８１０は、通信を開始するために、例えば、音声通信データを構成する無線信号を伝送するように命令情報をＲＦモジュール８３５に伝達する。ＲＦモジュール８３５は、無線信号を受信及び送信するために受信器（receiver）及び送信器（伝送機）（transmitter）から構成される。アンテナ８４０は、無線信号を送信及び受信する機能を行う。無線信号を受信するとき、ＲＦモジュール８３５は、プロセッサ８１０によって処理するために信号を伝達してベースバンドに信号を変換することができる。処理された信号は、スピーカ８４５を介して出力される可聴又は可読情報に変換することができる。
【０３０４】
以上で説明された実施形態は、本発明の構成要素と特徴とが所定の形態で結合され（組み合わせられ）たものである。各構成要素又は特徴は、別途の明示的な言及がない限り、選択的なものとして考慮されなければならない。各構成要素又は特徴は、他の構成要素や特徴と結合されない形態で実施できる。また、一部の構成要素及び／又は特徴を結合して本発明の実施形態を構成することも可能である。本発明の実施形態で説明される動作の順序は、変更できる。ある実施形態の一部の構成や特徴は、他の実施形態に含まれることができ、又は他の実施形態の対応する構成若しくは特徴と置き換えできる。特許請求の範囲で明示的な引用関係がない請求項を結合して実施形態を構成するか、又は出願後の補正により新たな請求項に含めることができることは自明である。
【０３０５】
本発明に従う実施形態は、多様な手段、例えば、ハードウェア、ファームウエア（firmware）、ソフトウェア、又はそれらの結合などにより具現できる。ハードウェアによる具現の場合、本発明の一実施形態は、１つ又は複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどにより具現できる。
【０３０６】
ファームウエアやソフトウェアによる具現の場合、本発明の一実施形態は、以上で説明された機能又は動作を行うモジュール、手続、関数などの形態で具現できる。ソフトウェアコードは、メモリに記憶されてプロセッサにより駆動できる。上記メモリは、上記プロセッサの内部又は外部に位置し、既に公知の多様な手段により上記プロセッサとデータをやり取りすることができる。
【０３０７】
本発明は、本発明の必須的な特徴を逸脱しない範囲で他の特定の形態で具体化できることは、通常の技術者にとって自明である。したがって、前述した詳細な説明は、全ての面で制限的に解釈されてはならず、例示的なものとして考慮されなければならない。本発明の範囲は、添付した請求項の合理的な解釈により決定されなければならず、本発明の等価的な範囲内における全ての変更は、本発明の範囲に含まれる。
【産業上の利用可能性】
【０３０８】
本発明の無線通信システムにおいてデータを送受信する方法は、３ＧＰＰ ＬＴＥ／ＬＴＥ−Ａシステム、５Ｇに適用される例を中心に説明したが、この他にも様々な無線通信システムに適用することが可能である。
【図１】
0006770202.tif 000037
【図２】
0006770202.tif 000038
【図３】
0006770202.tif 000039
【図４】
0006770202.tif 000040
【図５】
0006770202.tif 000041
【図６】
0006770202.tif 000042
【図７】
0006770202.tif 000043
【図８】
0006770202.tif 000044